(57)【特許請求の範囲】
【請求項１】
端末に適用されるワイヤレス・ローカル・エリア・ネットワーク構成方法であって、
第１ワイヤレス・ローカル・エリア・ネットワークの認証情報を取得し、前記第１ワイヤレス・ローカル・エリア・ネットワークの前記認証情報は、前記第１ワイヤレス・ローカル・エリア・ネットワークのアクセスパスワード及びサービスセット識別子（ＳＳＩＤ）を有する、ことと、
前記第１ワイヤレス・ローカル・エリア・ネットワークの前記ＳＳＩＤを隠しＳＳＩＤとして構成することと、
少なくとも１つの第１プローブ要求フレームをホームデバイスへ送信し、該第１プローブ要求フレームが、前記第１ワイヤレス・ローカル・エリア・ネットワークの前記認証情報の少なくとも一部と、前記ホームデバイスで保存されている前もってセットされた特徴コードとの比較に使用される、前記端末を識別する特徴コードとを運ぶ、ことと
を有する方法。
【請求項２】
前記第１プローブ要求フレームは、前記第１ワイヤレス・ローカル・エリア・ネットワークを確立するアクセス・ポイントによって応答されない、
請求項１に記載の方法。
【請求項３】
前記第１プローブ要求フレームのＳＳＩＤフィールドが、前記第１ワイヤレス・ローカル・エリア・ネットワークの前記認証情報の少なくとも一部と、前記特徴コードとを運ぶ、
請求項１又は２に記載の方法。
【請求項４】
前記少なくとも１つの第１プローブ要求フレームを送信することの前に、当該方法は、
少なくとも２つの部分認証情報片を取得するように、前記第１ワイヤレス・ローカル・エリア・ネットワークの前記認証情報を少なくとも２つの部分に分けることを更に有し、
前記少なくとも１つの第１プローブ要求フレームは、少なくとも２つの第１プローブ要求フレームを有し、該少なくとも２つの第１プローブ要求フレームの夫々が１つの部分認証情報片を運び、前記少なくとも２つの第１プローブ要求フレームは、前記少なくとも２つの部分認証情報片と一対一の対応にある、
請求項１乃至３のうちいずれか一項に記載の方法。
【請求項５】
第１ワイヤレス・ローカル・エリア・ネットワークの認証情報を取得することの前に、当該方法は、
第１アプリケーションの表示インターフェイスを表示し、前記第１アプリケーションの前記表示インターフェイスは、認証情報入力ウィンドウを有する、ことを更に有し、
第１ワイヤレス・ローカル・エリア・ネットワークの認証情報を取得することは、
ユーザが前記認証情報入力ウィンドウに入力した前記第１ワイヤレス・ローカル・エリア・ネットワークの前記認証情報を取得することを有する、
請求項１乃至４のうちいずれか一項に記載の方法。
【請求項６】
前記端末は、インターネットワーク・オペレーティング・システム（ＩＯＳ）端末であり、
ユーザが前記認証情報入力ウィンドウに入力した前記第１ワイヤレス・ローカル・エリア・ネットワークの前記認証情報を取得することの後で、且つ、少なくとも１つの第１プローブ要求フレームを送信することの前に、当該方法は、
前記第１ワイヤレス・ローカル・エリア・ネットワークの前記認証情報をＩＯＳ記述ファイルに加えることと、
前記ＩＯＳ端末の記述ファイルインストールインターフェイスを表示することと、
前記記述ファイルインストールインターフェイスで前記ユーザの第１入力を取得し、該第１入力に応答して前記ＩＯＳ記述ファイルを前記ＩＯＳ端末のＩＯＳシステムにインポートすることと
を更に有する、
請求項５に記載の方法。
【請求項７】
端末であって、
第１ワイヤレス・ローカル・エリア・ネットワークの認証情報を取得するよう構成される取得モジュールであり、前記第１ワイヤレス・ローカル・エリア・ネットワークの前記認証情報は、前記第１ワイヤレス・ローカル・エリア・ネットワークのアクセスパスワード及びサービスセット識別子（ＳＳＩＤ）を有する、前記取得モジュールと、
前記第１ワイヤレス・ローカル・エリア・ネットワークの前記ＳＳＩＤを隠しＳＳＩＤとして構成するよう構成される構成モジュールと、
少なくとも１つの第１プローブ要求フレームをホームデバイスへ送信するよう構成される送信モジュールであり、前記第１プローブ要求フレームが、前記第１ワイヤレス・ローカル・エリア・ネットワークの前記認証情報の少なくとも一部と、前記ホームデバイスで保存されている前もってセットされた特徴コードとの比較に使用される、当該端末を識別する特徴コードとを運ぶ、前記送信モジュールと
を有する端末。
【請求項８】
前記送信モジュールによって送信される前記第１プローブ要求フレームは、前記第１ワイヤレス・ローカル・エリア・ネットワークを確立するアクセス・ポイントによって応答されない、
請求項７に記載の端末。
【請求項９】
端末であって、
プロセッサと、メモリと、通信インターフェイスとを有し、前記プロセッサ、前記メモリ、及び前記通信インターフェイスは接続され、前記メモリは、コンピュータプログラムコードを記憶するよう構成され、該コンピュータプログラムコードは、コンピュータ命令を有し、前記プロセッサが前記コンピュータ命令を実行するときに、前記プロセッサは、
前記プロセッサが、第１ワイヤレス・ローカル・エリア・ネットワークの認証情報を取得し、前記第１ワイヤレス・ローカル・エリア・ネットワークの前記認証情報は、前記第１ワイヤレス・ローカル・エリア・ネットワークのアクセスパスワード及びサービスセット識別子（ＳＳＩＤ）を有する、よう、且つ、前記第１ワイヤレス・ローカル・エリア・ネットワークの前記ＳＳＩＤを隠しＳＳＩＤとして構成するよう構成される動作と、
前記プロセッサが、少なくとも１つの第１プローブ要求フレームをホームデバイスへ送信するように前記通信インターフェイスを制御し、前記第１プローブ要求フレームが、前記第１ワイヤレス・ローカル・エリア・ネットワークの前記認証情報の少なくとも一部と、前記ホームデバイスで保存されている前もってセットされた特徴コードとの比較に使用される、当該端末を識別する特徴コードとを運ぶ、よう更に構成される動作と
を実行する、
端末。
【請求項１０】
前記通信インターフェイスによって送信される前記第１プローブ要求フレームは、前記第１ワイヤレス・ローカル・エリア・ネットワークを確立するアクセス・ポイントによって応答されない、
請求項９に記載の端末。
【請求項１１】
前記通信インターフェイスによって送信される前記第１プローブ要求フレームのＳＳＩＤフィールドが、前記第１ワイヤレス・ローカル・エリア・ネットワークの前記認証情報の少なくとも一部と、前記特徴コードとを運ぶ、
請求項９又は１０に記載の端末。
【請求項１２】
前記プロセッサは、前記通信インターフェイスが前記少なくとも１つの第１プローブ要求フレームを送信する前に、少なくとも２つの部分認証情報片を取得するように、前記第１ワイヤレス・ローカル・エリア・ネットワークの前記認証情報を少なくとも２つの部分に分けるよう更に構成され、
前記通信インターフェイスによって送信される前記少なくとも１つの第１プローブ要求フレームは、少なくとも２つの第１プローブ要求フレームを有し、該少なくとも２つの第１プローブ要求フレームの夫々が１つの部分認証情報片を有し、前記少なくとも２つの第１プローブ要求フレームは、前記少なくとも２つの部分認証情報片と一対一の対応にある、
請求項９乃至１１のうちいずれか一項に記載の端末。
【請求項１３】
当該端末は、タッチスクリーンを更に有し、
前記プロセッサは、前記第１ワイヤレス・ローカル・エリア・ネットワークの前記認証情報を取得する前に、第１アプリケーションの表示インターフェイスを表示するように前記タッチスクリーンを制御するよう更に構成され、前記第１アプリケーションの前記表示インターフェイスは、認証情報入力ウィンドウを有し、
前記プロセッサは、ユーザが前記認証情報入力ウィンドウに入力した前記第１ワイヤレス・ローカル・エリア・ネットワークの前記認証情報を取得するよう特に構成される、
請求項９乃至１２のうちいずれか一項に記載の端末。
【請求項１４】
当該端末は、インターネットワーク・オペレーティング・システム（ＩＯＳ）端末であり、
前記プロセッサは、前記第１ワイヤレス・ローカル・エリア・ネットワークの前記認証情報を取得した後で、且つ、前記通信インターフェイスが前記少なくとも１つの第１プローブ要求フレームを送信する前に、前記第１ワイヤレス・ローカル・エリア・ネットワークの前記認証情報をＩＯＳ記述ファイルに加えるよう更に構成され、
前記プロセッサは、前記ＩＯＳ端末の記述ファイルインストールインターフェイスを表示するように前記タッチスクリーンを制御するよう更に構成され、
前記プロセッサは、前記タッチスクリーンによって表示されている前記記述ファイルインストールインターフェイスで前記ユーザの第１入力を取得し、該第１入力に応答して前記ＩＯＳ記述ファイルを前記ＩＯＳ端末のＩＯＳシステムにインポートするよう更に構成される、
請求項１３に記載の端末。
【請求項１５】
コンピュータ命令を有し、該コンピュータ命令が端末で実行されるときに、該端末は、請求項１乃至６のうちいずれか一項に記載のワイヤレス・ローカル・エリア・ネットワーク構成方法を実行することを可能にされる、
コンピュータ可読記憶媒体。
【発明の詳細な説明】
【技術分野】
【０００１】
本願は、通信技術の分野に、特に、ワイヤレス・ローカル・エリア・ネットワーク構成方法及びデバイスに関係がある。
【背景技術】
【０００２】
電子情報技術の発展とともに、スマート家電が徐々に人々の日常になりつつある。スマート家電では、家がプラットフォームとして使用され得、ワイヤレス・フィデリティ（Wireless  Fidelity，Ｗｉ−Ｆｉ）ネットワークのようなワイヤレス・ローカル・エリア・ネットワークが、家庭の安全及び快適性を改善するように、家庭生活に関係があるホームデバイスを統合し制御するために使用される。
【０００３】
しかし、ホームデバイスは、それらの物理的な形態によって制限され（例えば、一般的に、ディスプレイ又は入力コンポーネントは、テーブル照明及びソケットのようなデバイスには配置されない。）、ホームＷｉ−Ｆｉネットワーク（ｎｅｔ−１と表記）のサービスセット識別子（Service  Set  Identifier，ＳＳＩＤ）（ＳＳＩＤ−１と表記）及びＷｉ−Ｆｉパスワード（ｋｅｙ−１と表記）は、都合良く入力され得ない。従って、いくつかのホームデバイスは、他の通信端末（例えば、携帯電話機）によって送信されるＳＳＩＤ−１及びｋｅｙ−１を受信した後にのみ、ｎｅｔ−１へ接続することができる。
【０００４】
先行技術では、上記のホームデバイスは、次の方法で、携帯電話機によって送信されるＳＳＩＤ−１及びｋｅｙ−１を受信し、次いで、受信されたＳＳＩＤ−１及びｋｅｙ−１を使用することによってホームＷｉ−Ｆｉネットワーク（すなわち、ｎｅｔ−１）へ接続し得る。ホームデバイスは、アドホック・ネットワーク（ｎｅｔ−２と表記）を提供するようにアクセス・ポイント（Access  Point，ＡＰ）として動作してよく、ユーザは、前もってセットされてホームデバイス上で提供されるＳＳＩＤ（ＳＳＩＤ−２と表記）及びＷｉ−Ｆｉパスワード（ｋｅｙ−２と表記）を使用することによって携帯電話機をｎｅｔ−２へ接続するように携帯電話機を操作してよい。次いで、携帯電話機は、ｎｅｔ−２を使用することによってＳＳＩＤ−１及びｋｅｙ−１をホームデバイスへ送信してよい。
【０００５】
しかし、上記の方法では、複数のホームデバイスについてＷｉ−Ｆｉネットワーク構成を完了するために、ユーザは、携帯電話機を操作することによってホームデバイスごとに、「そのホームデバイスによって提供されるアドホック・ネットワークへ携帯電話機を接続し、携帯電話機が接続されているアドホック・ネットワークを使用することによってＳＳＩＤ−１及びｋｅｙ−１をホームデバイスへ送信する」プロセスを実行する必要がある。結果として、構成時間は比較的に長い。
【０００６】
ホームデバイスのＷｉ−Ｆｉネットワーク構成プロセスを簡単にし、且つ、構成時間を短くするために、複数のホームデバイスは、スニファリスニングモードにあるよう制御されてよく、携帯電話機によって送信されＳＳＩＤ−１及びｋｅｙ−１を運ぶユーザ・データグラム・プロトコル（User  Datagram  Protocol，ＵＤＰ）パケットをリッスンして、ＳＳＩＤ−１及びｋｅｙ−１を取得する。携帯電話機は、ｎｅｔ−１の動作チャネル上でマルチキャスト、ブロードキャスト、又はユニキャスト方式においてＵＤＰパケットを送信してよい。
【０００７】
しかし、携帯電話機は、通常は、Ｗｉ−Ｆｉ高速プロトコルを使用することによってマルチキャスト、ブロードキャスト、又はユニキャストＵＤＰパケットを送信することを好み、一方、ほとんどのホームデバイスの通信モジュールは、Ｗｉ−Ｆｉ高速プロトコルに基づくデータ伝送をサポートしていない。従って、ホームデバイスは、ホームデバイスがＵＤＰパケットを受信することができないのでＳＳＩＤ−１及びｋｅｙ−１を取得することができず、従って、ホームＷｉ−Ｆｉネットワークへ接続することができない。その上、携帯電話機がＷｉ−Ｆｉ高速プロトコルを使用することによって送信するＵＤＰパケットは、ワイヤレス・ルータによって転送される必要があり、これは、ワイヤレス・ルータ上の他のデータサービスに対して影響を与え、他のデータサービスの伝送に影響を及ぼす可能性がある。
【発明の概要】
【０００８】
本願は、ホームデバイスのホーム・ワイヤレス・ローカル・エリア・ネットワークの認証情報を構成することの成功率を高め、且つ、ホームデバイスをホーム・ワイヤレス・ローカル・エリア・ネットワークに接続することの効率を改善するように、ワイヤレス・ローカル・エリア・ネットワーク構成方法及びデバイスを提供する。
【０００９】
上記の目的を達成するために、以下の技術的解決法が本願で使用される。
【００１０】
第１の態様によれば、本願は、ワイヤレス・ローカル・エリア・ネットワーク構成方法を提供する。当該方法は端末に適用され、当該方法は、第１ワイヤレス・ローカル・エリア・ネットワークの認証情報を取得し、前記第１ワイヤレス・ローカル・エリア・ネットワークの前記認証情報は、前記第１ワイヤレス・ローカル・エリア・ネットワークのアクセスパスワード及びＳＳＩＤを含む、ことと、前記第１ワイヤレス・ローカル・エリア・ネットワークの前記ＳＳＩＤを隠しＳＳＩＤとして構成することと、少なくとも１つの第１プローブ要求フレームを送信し、該第１プローブ要求フレームが、前記第１ワイヤレス・ローカル・エリア・ネットワークの前記認証情報の少なくとも一部を運ぶ、こととを含む。
【００１１】
本願で提供されるワイヤレス・ローカル・エリア・ネットワーク構成方法によれば、Ｗｉ−Ｆｉ標準において、隠しＳＳＩＤを用いるワイヤレス・ローカル・エリア・ネットワークの場合に、プローブ要求フレームがワイヤレス・ローカル・エリア・ネットワークのＳＳＩＤを運び得る。Ｗｉ−Ｆｉ標準におけるこの規約に基づいて、端末は、第１ワイヤレス・ローカル・エリア・ネットワークの認証情報を取得した後に、第１ワイヤレス・ローカル・エリア・ネットワークのＳＳＩＤを隠しＩＤとして構成してよい。この場合に、端末は、第１ワイヤレス・ローカル・エリア・ネットワークの認証情報を運ぶプローブ要求フレーム（すなわち、probe  requestフレーム又は第１プローブ要求フレーム）を送信してよい。
【００１２】
端末によって送信されるプローブ要求フレームは、ワイヤレス・ルータによって転送される必要がなく、それにより、ワイヤレス・ルータ上の他のデータサービスに対する影響はない。その上、プローブ要求フレームはＷｉ−Ｆｉ管理フレームであり、如何なるホームデバイスにおけるＷｉ−Ｆｉモジュールもプローブ要求フレームをリッスンし受信することができる。これは、ホームデバイスがプローブ要求フレームを受信することができ、従って、ＳＳＩＤ及びアクセスパスワードを使用することによって第１ワイヤレス・ローカル・エリア・ネットワークへ接続するために、プローブ要求フレームで運ばれるＳＳＩＤ及びアクセスパスワードを取得することができることを確かにし得る。すなわち、本願は、ホームデバイスのためのホーム・ワイヤレス・ローカル・エリア・ネットワークの認証情報を構成することの成功率を高め、且つ、ホームデバイスをホーム・ワイヤレス・ローカル・エリア・ネットワークに接続することの効率を改善することができる。
【００１３】
第１の態様を参照して、第１の可能な実施において、前記第１プローブ要求フレームは、前記第１ワイヤレス・ローカル・エリア・ネットワークを確立するアクセス・ポイント（Access  Point，ＡＰ）によって応答されない。一般に、局（Station，ＳＴＡ）（すなわち、端末）がプローブ要求フレームを送信した後、ＡＰがプローブ要求フレームを受信する場合に、ＡＰに対応するＳＳＩＤがプローブ要求フレームで運ばれるＳＳＩＤと同じであると決定するときに、ＡＰは、プローブ要求に応答してプローブ応答フレームをＳＴＡへ返し得る。本願の第１プローブ要求フレームは、第１ワイヤレス・ローカル・エリア・ネットワークを検出するよう意図されず、第１ワイヤレス・ローカル・エリア・ネットワークの認証情報をホームデバイスへ送信するよう意図される。従って、第１プローブ要求フレームは、第１ワイヤレス・ローカル・エリア・ネットワークを確立するＡＰによって応答されない。
【００１４】
第１の態様又は第１の可能な実施を参照して、第２の可能な実施において、前記第１プローブ要求フレームのＳＳＩＤフィールドが、前記第１ワイヤレス・ローカル・エリア・ネットワークの前記認証情報の少なくとも一部を運ぶ。一般に、ワイヤレス・ローカル・エリア・ネットワークのＳＳＩＤが隠しＳＳＩＤであるとき、ワイヤレス・ローカル・エリア・ネットワークを検出するためのプローブ要求フレームのＳＳＩＤフィールドは、ワイヤレス・ローカル・エリア・ネットワークのＳＳＩＤを運ぶ。しかし、本願では、プローブ要求フレームのＳＳＩＤフィールドは、第１ワイヤレス・ローカル・エリア・ネットワークの認証情報の少なくとも一部を運んでよい。
【００１５】
第１の態様又は上記の可能な実施のうちのいずれか１つを参照して、第３の可能な実施において、“前記少なくとも１つの第１プローブ要求フレームを送信すること”の前に、本願の方法は、少なくとも２つの部分認証情報片を取得するように、前記第１ワイヤレス・ローカル・エリア・ネットワークの前記認証情報を少なくとも２つの部分に分けることを更に含み、前記少なくとも１つの第１プローブ要求フレームは、少なくとも２つの第１プローブ要求フレームを含み、該少なくとも２つの第１プローブ要求フレームの夫々が１つの部分認証情報片を含み、前記少なくとも２つの第１プローブ要求フレームは、前記少なくとも２つの部分認証情報片と一対一の対応にある。
【００１６】
１つの第１プローブ要求フレームのＳＳＩＤフィールドは、限られた量のデータしか運べないことが理解され得る。例えば、１つの第１プローブ要求フレームのＳＳＩＤフィールドは、最大３２バイトのデータを運ぶことができるが、第１ワイヤレス・ローカル・エリア・ネットワークの認証情報は、３２より多いバイトを含むことがある。この場合に基づいて、端末は、第１ワイヤレス・ローカル・エリア・ネットワークの認証情報を少なくとも２つの部分に分け、得られた少なくとも２つの部分認証情報片を少なくとも２つの第１プローブ要求フレームのＳＳＩＤフィールドに夫々加えてよい。
【００１７】
第１の態様又は上記の可能な実施のうちのいずれか１つを参照して、第４の可能な実施において、端末は、ユーザがホームアプリケーションで入力した第１ワイヤレス・ローカル・エリア・ネットワークの認証情報を受け取ってよい。具体的に、“第１ワイヤレス・ローカル・エリア・ネットワークの認証情報を取得すること”の前に、本願の方法は、第１アプリケーションの表示インターフェイスを表示することを更に含み、ここで、前記第１アプリケーションの前記表示インターフェイスは、認証情報入力ウィンドウを含む。“第１ワイヤレス・ローカル・エリア・ネットワークの認証情報を取得すること”は、ユーザが前記認証情報入力ウィンドウに入力した前記第１ワイヤレス・ローカル・エリア・ネットワークの前記認証情報を取得することを含んでよい。
【００１８】
第４の可能な実施を参照して、第５の可能な実施において、端末は、アンドロイド（Android）端末であってよい。
【００１９】
第４の可能な実施を参照して、第６の可能な実施において、端末は、インターネットワーク・オペレーティング・システム（Internetwork  Operating  System，ＩＯＳ）端末であってよい。ＩＯＳオペレーティング・システムの互換性問題のために、ＩＯＳ端末は、第１ワイヤレス・ローカル・エリア・ネットワークの認証情報を直接しようすることができないことがある。この場合に基づいて、第１ワイヤレス・ローカル・エリア・ネットワークの認証情報を取得した後に、端末は、第１ワイヤレス・ローカル・エリア・ネットワークの認証情報を含むＩＯＳ記述ファイルを端末のＩＯＳシステムにインポートしてよく、それにより、ＩＯＳ端末は、第１ワイヤレス・ローカル・エリア・ネットワークの認証情報を使用することができる。具体的に、“ユーザが前記認証情報入力ウィンドウに入力した前記第１ワイヤレス・ローカル・エリア・ネットワークの前記認証情報を取得すること”の後で、且つ、“少なくとも１つの第１プローブ要求フレームを送信すること”の前に、本願の方法は、前記第１ワイヤレス・ローカル・エリア・ネットワークの前記認証情報をＩＯＳ記述ファイルに加えることと、前記ＩＯＳ端末の記述ファイルインストールインターフェイスを表示することと、前記記述ファイルインストールインターフェイスで前記ユーザの第１入力を取得し、該第１入力に応答して前記ＩＯＳ記述ファイルを前記ＩＯＳ端末のＩＯＳシステムにインポートすることとを更に含む。例えば、ＩＯＳ記述ファイルは、名称の末尾に“.mobileco”を付け加えられているファイルであってよい。
【００２０】
第２の態様によれば、本願は端末を提供し、当該端末は、取得モジュール、構成モジュール、及び送信モジュールを含む。前記取得モジュールは、第１ワイヤレス・ローカル・エリア・ネットワークの認証情報を取得するよう構成され、ここで、前記第１ワイヤレス・ローカル・エリア・ネットワークの前記認証情報は、前記第１ワイヤレス・ローカル・エリア・ネットワークのアクセスパスワード及びＳＳＩＤを含む。前記構成モジュールは、前記第１ワイヤレス・ローカル・エリア・ネットワークの前記ＳＳＩＤを隠しＳＳＩＤとして構成するよう構成される。前記送信モジュールは、少なくとも１つの第１プローブ要求フレームを送信するよう構成され、ここで、前記第１プローブ要求フレームが、前記第１ワイヤレス・ローカル・エリア・ネットワークの前記認証情報の少なくとも一部を運ぶ。
【００２１】
第２の態様を参照して、第１の可能な実施において、前記送信モジュールによって送信される前記第１プローブ要求フレームは、前記第１ワイヤレス・ローカル・エリア・ネットワークを確立するアクセス・ポイントによって応答されない。
【００２２】
第２の態様又は第１の可能な実施を参照して、第２の可能な実施において、前記送信モジュールによって送信される前記第１プローブ要求フレームのＳＳＩＤフィールドが、前記第１ワイヤレス・ローカル・エリア・ネットワークの前記認証情報の少なくとも一部を運ぶ。
【００２３】
第２の態様又は第２の態様の可能な実施のうちのいずれか１つを参照して、第３の可能な実施において、当該端末は、分割モジュールを更に含んでよい。前記分割モジュールは、前記送信モジュールが前記少なくとも１つの第１プローブ要求フレームを送信する前に、少なくとも２つの部分認証情報片を取得するように、前記第１ワイヤレス・ローカル・エリア・ネットワークの前記認証情報を少なくとも２つの部分に分けるよう構成され、ここで、前記送信モジュールによって送信される前記少なくとも１つの第１プローブ要求フレームは、少なくとも２つの第１プローブ要求フレームを含み、該少なくとも２つの第１プローブ要求フレームの夫々が１つの部分認証情報片を含み、前記少なくとも２つの第１プローブ要求フレームは、前記少なくとも２つの部分認証情報片と一対一の対応にある。
【００２４】
第２の態様又は第２の態様の可能な実施のうちのいずれか１つを参照して、第４の可能な実施において、当該端末は、表示モジュールを更に含んでよい。前記表示モジュールは、前記取得モジュールが前記第１ワイヤレス・ローカル・エリア・ネットワークの前記認証情報を取得する前に、第１アプリケーションの表示インターフェイスを表示するよう構成され、ここで、前記第１アプリケーションの前記表示インターフェイスは、認証情報入力ウィンドウを含み、前記取得モジュールは、ユーザが前記表示モジュールによって表示されている前記認証情報入力ウィンドウに入力した前記第１ワイヤレス・ローカル・エリア・ネットワークの前記認証情報を取得するよう特に構成される。
【００２５】
第４の可能な実施を参照して、第５の可能な実施において、当該端末は、アンドロイド端末である。
【００２６】
第４の可能な実施を参照して、第６の可能な実施において、当該端末は、ＩＯＳ端末であり、当該端末は、追加モジュール及びインポートモジュールを更に含んでよい。前記追加モジュールは、ユーザが前記認証情報入力ウィンドウに入力した前記第１ワイヤレス・ローカル・エリア・ネットワークの前記認証情報を前記取得モジュールが取得した後で、且つ、前記送信モジュールが前記少なくとも１つの第１プローブ要求フレームを送信する前に、前記第１ワイヤレス・ローカル・エリア・ネットワークの前記認証情報をＩＯＳ記述ファイルに加えるよう構成される。前記表示モジュールは、前記ＩＯＳ端末の記述ファイルインストールインターフェイスを表示するよう更に構成される。前記取得モジュールは、前記表示モジュールによって表示されている前記記述ファイルインストールインターフェイスで前記ユーザの第１入力を取得するよう更に構成される。前記インポートモジュールは、前記取得モジュールによって取得された前記第１入力に応答して前記ＩＯＳ記述ファイルを前記ＩＯＳ端末のＩＯＳシステムにインポートするよう構成される。
【００２７】
第３の態様によれば、本願は端末を提供し、当該端末は、プロセッサ、メモリ、及び通信インターフェイスを含む。前記プロセッサ、前記メモリ、及び前記通信インターフェイスは接続されている。前記メモリは、コンピュータプログラムコードを記憶するよう構成され、該コンピュータプログラムコードは、コンピュータ命令を含む。前記プロセッサが前記コンピュータ命令を実行するときに、前記プロセッサは、次の動作を実行する：
前記プロセッサは、第１ワイヤレス・ローカル・エリア・ネットワークの認証情報を取得し、前記第１ワイヤレス・ローカル・エリア・ネットワークの前記認証情報は、前記第１ワイヤレス・ローカル・エリア・ネットワークのアクセスパスワード及びサービスセット識別子（ＳＳＩＤ）を含む、よう、且つ、前記第１ワイヤレス・ローカル・エリア・ネットワークの前記ＳＳＩＤを隠しＳＳＩＤとして構成するよう構成され、前記プロセッサは、少なくとも１つの第１プローブ要求フレームを送信するように前記通信インターフェイスを制御し、前記第１プローブ要求フレームが、前記第１ワイヤレス・ローカル・エリア・ネットワークの前記認証情報の少なくとも一部を運ぶ、よう更に構成される。
【００２８】
第３の態様を参照して、第１の可能な実施において、前記通信インターフェイスによって送信される前記第１プローブ要求フレームは、前記第１ワイヤレス・ローカル・エリア・ネットワークを確立するアクセス・ポイントによって応答されない。
【００２９】
第３の態様又は第１の可能な実施を参照して、第２の可能な実施において、前記通信インターフェイスによって送信される前記第１プローブ要求フレームのＳＳＩＤフィールドが、前記第１ワイヤレス・ローカル・エリア・ネットワークの前記認証情報の少なくとも一部を運ぶ。
【００３０】
第３の態様又は第３の態様の可能な実施のうちのいずれか１つを参照して、第３の可能な実施において、前記プロセッサは、前記通信インターフェイスが前記少なくとも１つの第１プローブ要求フレームを送信する前に、少なくとも２つの部分認証情報片を取得するように、前記第１ワイヤレス・ローカル・エリア・ネットワークの前記認証情報を少なくとも２つの部分に分けるよう更に構成され、ここで、前記通信インターフェイスによって送信される前記少なくとも１つの第１プローブ要求フレームは、少なくとも２つの第１プローブ要求フレームを含み、該少なくとも２つの第１プローブ要求フレームの夫々が１つの部分認証情報片を含み、前記少なくとも２つの第１プローブ要求フレームは、前記少なくとも２つの部分認証情報片と一対一の対応にある。
【００３１】
第３の態様又は第３の態様の可能な実施のうちのいずれか１つを参照して、第４の可能な実施において、当該端末は、タッチスクリーンを更に含む。前記プロセッサは、前記第１ワイヤレス・ローカル・エリア・ネットワークの前記認証情報を取得する前に、第１アプリケーションの表示インターフェイスを表示するように前記タッチスクリーンを制御するよう更に構成され、ここで、前記第１アプリケーションの前記表示インターフェイスは、認証情報入力ウィンドウを含み、前記プロセッサは、ユーザが前記認証情報入力ウィンドウに入力した前記第１ワイヤレス・ローカル・エリア・ネットワークの前記認証情報を取得するよう特に構成される。
【００３２】
第４の可能な実施を参照して、第５の可能な実施において、当該端末は、アンドロイド端末である。
【００３３】
第４の可能な実施を参照して、第６の可能な実施において、当該端末は、ＩＯＳ端末である。前記プロセッサは、前記第１ワイヤレス・ローカル・エリア・ネットワークの前記認証情報を取得した後で、且つ、前記通信インターフェイスが前記少なくとも１つの第１プローブ要求フレームを送信する前に、前記第１ワイヤレス・ローカル・エリア・ネットワークの前記認証情報をＩＯＳ記述ファイルに加え、前記ＩＯＳ端末の記述ファイルインストールインターフェイスを表示するように前記タッチスクリーンを制御し、該タッチスクリーンによって表示されている前記記述ファイルインストールインターフェイスで前記ユーザの第１入力を取得し、該第１入力に応答して前記ＩＯＳ記述ファイルを前記ＩＯＳ端末のＩＯＳシステムにインポートするよう更に構成される。
【００３４】
第２の態様及び第３の態様で提供される両方の端末が、第１の態様又は第１の態様の可能な実施のうちのいずれか１つで提供される方法を実行するよう構成されることが理解され得る。従って、端末によって達成され得る有利な効果については、上記の対応する方法の有利な効果が参照され得る。詳細は、ここで再び記載されない。
【００３５】
第４の態様によれば、本願は、ワイヤレス・ローカル・エリア・ネットワーク構成方法を提供する。当該方法は端末に適用され、当該方法は、第１ワイヤレス・ローカル・エリア・ネットワークの認証情報を取得し、前記第１ワイヤレス・ローカル・エリア・ネットワークの前記認証情報は、前記第１ワイヤレス・ローカル・エリア・ネットワークのアクセスパスワード及びＳＳＩＤを含む、ことと、前記第１ワイヤレス・ローカル・エリア・ネットワークの前記認証情報を取得することに応答して、前記第１ワイヤレス・ローカル・エリア・ネットワークの前記ＳＳＩＤを隠しＳＳＩＤとして構成することと、前記第１ワイヤレス・ローカル・エリア・ネットワークの前記ＳＳＩＤを隠しＳＳＩＤとして構成することに応答して、少なくとも１つの第１プローブ要求フレームを送信し、該第１プローブ要求フレームが、前記第１ワイヤレス・ローカル・エリア・ネットワークの前記認証情報の少なくとも一部を運ぶ、こととを含む。
【００３６】
本願で提供されるワイヤレス・ローカル・エリア・ネットワーク構成方法によれば、Ｗｉ−Ｆｉ標準において、隠しＳＳＩＤを用いるワイヤレス・ローカル・エリア・ネットワークの場合に、プローブ要求フレームがワイヤレス・ローカル・エリア・ネットワークのＳＳＩＤを運び得る。Ｗｉ−Ｆｉ標準におけるこの規約に基づいて、端末は、第１ワイヤレス・ローカル・エリア・ネットワークの認証情報を取得することに応答して、第１ワイヤレス・ローカル・エリア・ネットワークのＳＳＩＤを隠しＩＤとして構成してよい。この場合に、端末は、第１ワイヤレス・ローカル・エリア・ネットワークの認証情報を運ぶプローブ要求フレーム（すなわち、probe  requestフレーム又は第１プローブ要求フレーム）を送信してよい。
【００３７】
端末によって送信されるプローブ要求フレームは、ワイヤレス・ルータによって転送される必要がなく、それにより、ワイヤレス・ルータ上の他のデータサービスに対する影響はない。その上、プローブ要求フレームはＷｉ−Ｆｉ管理フレームであり、如何なるホームデバイスにおけるＷｉ−Ｆｉモジュールもプローブ要求フレームをリッスンし受信することができる。これは、ホームデバイスがプローブ要求フレームを受信することができ、従って、ＳＳＩＤ及びアクセスパスワードを使用することによって第１ワイヤレス・ローカル・エリア・ネットワークへ接続するために、プローブ要求フレームで運ばれるＳＳＩＤ及びアクセスパスワードを取得することができることを確かにし得る。すなわち、本願は、ホームデバイスのためのホーム・ワイヤレス・ローカル・エリア・ネットワークの認証情報を構成することの成功率を高め、且つ、ホームデバイスをホーム・ワイヤレス・ローカル・エリア・ネットワークに接続することの効率を改善することができる。
【００３８】
第４の態様を参照して、第１の可能な実施において、前記第１プローブ要求フレームは、前記第１ワイヤレス・ローカル・エリア・ネットワークを確立するアクセス・ポイントによって応答されない。一般に、局（Station，ＳＴＡ）（すなわち、端末）がプローブ要求フレームを送信した後、ＡＰがプローブ要求フレームを受信する場合に、ＡＰに対応するＳＳＩＤがプローブ要求フレームで運ばれるＳＳＩＤと同じであると決定するときに、ＡＰは、プローブ要求に応答してプローブ応答フレームをＳＴＡへ返し得る。本願の第１プローブ要求フレームは、第１ワイヤレス・ローカル・エリア・ネットワークを検出するよう意図されず、第１ワイヤレス・ローカル・エリア・ネットワークの認証情報をホームデバイスへ送信するよう意図される。従って、第１プローブ要求は、第１ワイヤレス・ローカル・エリア・ネットワークを確立するＡＰによって応答されない。
【００３９】
第４の態様又は第１の可能な実施を参照して、第２の可能な実施において、前記第１プローブ要求フレームのＳＳＩＤフィールドが、前記第１ワイヤレス・ローカル・エリア・ネットワークの前記認証情報の少なくとも一部を運ぶ。一般に、ワイヤレス・ローカル・エリア・ネットワークのＳＳＩＤが隠しＳＳＩＤであるとき、ワイヤレス・ローカル・エリア・ネットワークを検出するためのプローブ要求フレームのＳＳＩＤフィールドは、ワイヤレス・ローカル・エリア・ネットワークのＳＳＩＤを運ぶ。しかし、本願では、プローブ要求フレームのＳＳＩＤフィールドは、第１ワイヤレス・ローカル・エリア・ネットワークの認証情報の少なくとも一部を運んでよい。
【００４０】
第４の態様又は第４の態様の可能な実施のうちのいずれか１つを参照して、第３の可能な実施において、“前記少なくとも１つのプローブ要求フレームを送信すること”の前に、本願の方法は、前記第１ワイヤレス・ローカル・エリア・ネットワークの前記ＳＳＩＤを隠しＳＳＩＤとして構成することに応答して、少なくとも２つの部分認証情報片を取得するように、前記第１ワイヤレス・ローカル・エリア・ネットワークの前記認証情報を少なくとも２つの部分に分けることを更に含み、ここで、前記少なくとも１つの第１プローブ要求フレームは、少なくとも２つの第１プローブ要求フレームを含み、該少なくとも２つの第１プローブ要求フレームの夫々が１つの部分認証情報片を含み、前記少なくとも２つの第１プローブ要求フレームは、前記少なくとも２つの部分認証情報片と一対一の対応にある。
【００４１】
第５の態様によれば、本願は端末を提供し、当該端末は、取得モジュール、構成モジュール、及び送信モジュールを含む。前記取得モジュールは、第１ワイヤレス・ローカル・エリア・ネットワークの認証情報を取得するよう構成され、ここで、前記第１ワイヤレス・ローカル・エリア・ネットワークの前記認証情報は、前記第１ワイヤレス・ローカル・エリア・ネットワークのアクセスパスワード及びサービスセット識別子（ＳＳＩＤ）を含む。前記構成モジュールは、前記取得モジュールが前記第１ワイヤレス・ローカル・エリア・ネットワークの前記認証情報を取得することに応答して、前記第１ワイヤレス・ローカル・エリア・ネットワークの前記ＳＳＩＤを隠しＳＳＩＤとして構成するよう構成される。前記送信モジュールは、前記構成モジュールが前記第１ワイヤレス・ローカル・エリア・ネットワークの前記ＳＳＩＤを前記隠しＳＳＩＤとして構成することに応答して、少なくとも１つの第１プローブ要求フレームを送信するよう構成され、ここで、前記第１プローブ要求フレームが、前記第１ワイヤレス・ローカル・エリア・ネットワークの前記認証情報の少なくとも一部を運ぶ。
【００４２】
第５の態様を参照すると、第１の可能な実施において、前記送信モジュールによって送信される前記第１プローブ要求フレームは、前記第１ワイヤレス・ローカル・エリア・ネットワークを確立するアクセス・ポイントによって応答されない。
【００４３】
第５の態様又は第１の可能な実施を参照して、第２の可能な実施において、前記送信モジュールによって送信される前記第１プローブ要求フレームのＳＳＩＤフィールドが、前記第１ワイヤレス・ローカル・エリア・ネットワークの前記認証情報の少なくとも一部を運ぶ。
【００４４】
第５の態様又は上記の可能な実施のうちのいずれか１つを参照して、第３の可能な実施において、当該端末は、分割モジュールを更に含む。前記分割モジュールは、前記送信モジュールが前記少なくとも１つの第１プローブ要求フレームを送信する前に、前記構成モジュールが前記第１ワイヤレス・ローカル・エリア・ネットワークの前記ＳＳＩＤを前記隠しＳＳＩＤとして構成することに応答して、少なくとも２つの部分認証情報片を取得するように、前記第１ワイヤレス・ローカル・エリア・ネットワークの前記認証情報を少なくとも２つの部分に分けるよう構成され、ここで、前記送信モジュールによって送信される前記少なくとも１つの第１プローブ要求フレームは、少なくとも２つの第１プローブ要求フレームを含み、該少なくとも２つの第１プローブ要求フレームの夫々が１つの部分認証情報片を含み、前記少なくとも２つの第１プローブ要求フレームは、前記少なくとも２つの部分認証情報片と一対一の対応にある。
【００４５】
第６の態様によれば、本願は端末を提供し、当該端末は、プロセッサ、メモリ、及び通信インターフェイスを含む。前記プロセッサ、前記メモリ、及び前記通信インターフェイスは接続されている。前記メモリは、コンピュータプログラムコードを記憶するよう構成され、該コンピュータプログラムコードは、コンピュータ命令を含む。前記プロセッサが前記コンピュータ命令を実行するときに、前記プロセッサは、次の動作を実行する：
前記プロセッサは、第１ワイヤレス・ローカル・エリア・ネットワークの認証情報を取得し、前記第１ワイヤレス・ローカル・エリア・ネットワークの前記認証情報は、前記第１ワイヤレス・ローカル・エリア・ネットワークのアクセスパスワード及びサービスセット識別子ＳＳＩＤを含む、よう、前記第１ワイヤレス・ローカル・エリア・ネットワークの前記認証情報を取得することに応答して、前記第１ワイヤレス・ローカル・エリア・ネットワークの前記ＳＳＩＤを隠しＳＳＩＤとして構成するよう、且つ、前記第１ワイヤレス・ローカル・エリア・ネットワークの前記ＳＳＩＤを前記隠しＳＳＩＤとして構成することに応答して、少なくとも１つの第１プローブ要求フレームを送信するように前記通信インターフェイスを制御し、前記第１プローブ要求フレームが、前記第１ワイヤレス・ローカル・エリア・ネットワークの前記認証情報の少なくとも一部を運ぶ、よう構成される。
【００４６】
第６の態様を参照して、第１の可能な実施において、前記通信インターフェイスによって送信される前記第１プローブ要求フレームは、前記第１ワイヤレス・ローカル・エリア・ネットワークを確立するアクセス・ポイントによって応答されない。
【００４７】
第６の態様又は第１の可能な実施を参照して、第２の可能な実施において、前記通信インターフェイスによって送信される前記第１プローブ要求フレームのＳＳＩＤフィールドが、前記第１ワイヤレス・ローカル・エリア・ネットワークの前記認証情報の少なくとも一部を運ぶ。
【００４８】
第６の態様又は第６の態様の可能な実施のうちのいずれか１つを参照して、第３の可能な実施において、前記プロセッサは、前記通信インターフェイスが前記少なくとも１つの第１プローブ要求フレームを送信する前に、前記第１ワイヤレス・ローカル・エリア・ネットワークの前記ＳＳＩＤを前記隠しＳＳＩＤとして構成することに応答して、少なくとも２つの部分認証情報片を取得するように、前記第１ワイヤレス・ローカル・エリア・ネットワークの前記認証情報を少なくとも２つの部分に分けるよう更に構成され、ここで、前記通信インターフェイスによって送信される前記少なくとも１つの第１プローブ要求フレームは、少なくとも２つの第１プローブ要求フレームを含み、該少なくとも２つの第１プローブ要求フレームの夫々が１つの部分認証情報片を含み、前記少なくとも２つの第１プローブ要求フレームは、前記少なくとも２つの部分認証情報片と一対一の対応にある。
【００４９】
第５の態様及び第６の態様で提供される両方の端末が、第４の態様又は第４の態様の可能な実施のうちのいずれか１つで提供される方法を実行するよう構成されることが理解され得る。従って、端末によって達成され得る有利な効果については、上記の対応する方法の有利な効果が参照され得る。詳細は、ここで再び記載されない。
【００５０】
第７の態様によれば、本願は、コンピュータ記憶媒体を更に提供する。当該コンピュータ記憶媒体はコンピュータ命令を記憶し、該コンピュータ命令が端末で実行されるときに、該端末は、本願の第１の態様、第４の態様、又はそれらのいずれかの可能な実施で記載されるワイヤレス・ローカル・エリア・ネットワーク構成方法を実行することを可能にされる。
【００５１】
第８の態様によれば、本は、コンピュータプログラム製品を更に提供する。当該コンピュータプログラム製品がコンピュータで実行されるときに、該コンピュータは、本願の第１の態様、第４の態様、又はそれらのいずれかの可能な実施で記載されるワイヤレス・ローカル・エリア・ネットワーク構成方法を実行することを可能にされる。
【００５２】
第７の態様で提供されるコンピュータ記憶媒体及び第８の態様で提供されるコンピュータプログラム製品の両方が、上記の対応する方法を実行するよう構成されることが理解され得る。従って、コンピュータ記憶媒体及びコンピュータプログラム製品によって達成され得る有利な効果については、上記の対応する方法の有利な効果が参照され得る。詳細は、ここで再び記載されない。
【図面の簡単な説明】
【００５３】
【図１】本願に従うＷｉ−Ｆｉネットワークの略アーキテクチャ図である。
【図２】本願に従うプローブ要求フレームのフレーム構造の概略図である。
【図３】本願に従う端末のＷｉ−Ｆｉログインインターフェイスの例の概略図１である。
【図４】本願に従うワイヤレス・ルータの設定インターフェイスの例の概略図である。
【図５】本願に従う端末のＷｉ−Ｆｉログインインターフェイスの例の概略図２である。
【図６】本願に従う端末のＷｉ−Ｆｉログインインターフェイスの例の概略図３である。
【図７】本願に従う端末のＷｉ−Ｆｉログインインターフェイスの例の概略図４である。
【図８】本願に従う携帯電話機のハードウェア構造の概略図である。
【図９】本願に従うワイヤレス・ローカル・エリア・ネットワーク構成方法のフローチャート１である。
【図１０】本願に従うワイヤレス・ローカル・エリア・ネットワーク構成方法のフローチャート２である。
【図１１】本願に従うワイヤレス・ローカル・エリア・ネットワーク構成方法のフローチャート３である。
【図１２】本願に従う端末の表示インターフェイスの例の概略図１である。
【図１３】本願に従う端末の表示インターフェイスの例の概略図２である。
【図１４】本願に従う端末のＷｉ−Ｆｉログインインターフェイスの例の概略図５である。
【図１５Ａ】本願に従うワイヤレス・ローカル・エリア・ネットワーク構成方法のフローチャート４である。
【図１５Ｂ】本願に従うワイヤレス・ローカル・エリア・ネットワーク構成方法のフローチャート４である。
【図１６】本願に従う端末の表示インターフェイスの例の概略図３である。
【図１７】本願に従う端末の表示インターフェイスの例の概略図４である。
【図１８】本願に従う端末の表示インターフェイスの例の概略図５である。
【図１９】本願に従う端末の表示インターフェイスの例の概略図６である。
【図２０】本願に従うワイヤレス・ローカル・エリア・ネットワーク構成方法のフローチャート５である。
【図２１】本願に従う端末の構造組成の概略図１である。
【図２２】本願に従う端末の構造組成の概略図２である。
【図２３】本願に従う端末の構造組成の概略図３である。
【図２４】本願に従う端末の構造組成の概略図４である。
【図２５】本願に従う端末の構造組成の概略図５である。
【発明を実施するための形態】
【００５４】
本願で提供されるワイヤレス・ローカル・エリア・ネットワーク構成方法及びデバイスは、ホームデバイスのＷｉ−Ｆｉネットワーク構成プロセスに適用されてよく、具体的には、携帯電話機又はタブレットコンピュータのようなデバイスを使用することによってホームデバイスのためのホームＷｉ−ＦｉネットワークのＳＳＩＤ及びアクセスパスワードを構成して、ホームデバイスをホームＷｉ−Ｆｉネットワークに接続するプロセスに適用される。
【００５５】
例えば、本願のホームデバイスは、Ｗｉ−Ｆｉアクセス機能を備えたスマートホームデバイスであってよい。例えば、スマートホームデバイスは、スマートテレビ受像機、スマート冷蔵庫、スマート洗濯機、又はスマート炊飯器であってよい。本願のデバイスは、携帯コンピュータ、携帯電話機（例えば、図２に示される携帯電話機１０１）、パーソナル・コンピュータ（Personal  Computer，ＰＣ）、装着型電子機器、タブレットコンピュータ、などであってよい。デバイスの具体的な携帯は、本願で特に制限されない。
【００５６】
図１は、本願で提供されるワイヤレス・ローカル・エリア・ネットワーク構成方法が適用されるＷｉ−Ｆｉネットワークの略アーキテクチャ図である。図１に示されるように、Ｗｉ−Ｆｉネットワーク１００は、携帯電話機１０１、少なくとも１つのホームデバイス（例えば、スマート電球１０２及びスマートテレビ受像機１０３）、及びワイヤレス・ルータ１０４を含んでよい。
【００５７】
図１に示されるように、ユーザは、携帯電話機１０１で、ワイヤレス・ルータ１０４の認証情報（すなわち、ワイヤレス・ルータ１０４によって提供されたＷｉ−ＦｉネットワークのＳＳＩＤ及びアクセスパスワード）を入力してよく、その後に、携帯電話機は、ワイヤレス・ルータ１０４の認証情報をスマート電球１０２及びスマートテレビ受像機１０３へ送信してよい（すなわち、Ｓ１が実行される。）。スマート電球１０２が一例として使用される。ワイヤレス・ルータ１０４の認証情報を受け取った後、スマート電球１０２は、ワイヤレス・ルータ１０４の認証情報を使用することによって、ワイヤレス・ルータ１０４によって提供されるホームＷｉ−Ｆｉネットワークへ接続してよい（すなわち、Ｓ２が実行される。）。
【００５８】
具体的に、本願において、携帯電話機１０１によってワイヤレス・ルータ１０４の認証情報をスマート電球１０２及びスマートテレビ受像機１０３へ送信する方法は、次の通りであってよい。携帯電話機１０１は、ワイヤレス・ルータ１０４の認証情報を運ぶプローブ要求（Probe  Request）フレームを送信し、ここで、プローブ要求フレームは、ワイヤレス・ルータ１０４によって提供されるワイヤレス・ローカル・エリア・ネットワークのＳＳＩＤが“隠しＳＳＩＤ”として構成されるときに、携帯電話機１０１によって送信され得る。ワイヤレス・ルータ１０４の認証情報（すなわち、ワイヤレス・ローカル・エリア・ネットワークのＳＳＩＤ及びアクセスパスワードのような、ワイヤレス・ルータ１０４によって提供されるワイヤレス・ローカル・エリア・ネットワークの認証情報）は、プローブ要求フレームのＳＳＩＤフィールドにおいて運ばれてよい。
【００５９】
図２は、本願に従うプローブ要求フレームのフレーム構造の例の概略図である。図２に示されるように、プローブ要求フレーム２２０は、フレームヘッダ（すなわち、ＭＡＣヘッダ）２２１、フレーム本体（Frame  Body）２２２、及びフレーム・チェック・シーケンス（Frame  Check  Sequence，ＦＣＳ）フィールド２２３を含んでよい。ＭＡＣヘッダ２２１は、媒体アクセス制御（Media  Access  Control，ＭＡＣ）ヘッダである。
【００６０】
図２に示されるように、ＭＡＣヘッダ２２１は、フレーム制御（Frame  Control）フィールド２２１１、存続期間／ＩＤ（Duration/ID）フィールド２２１２、アドレス（Address）フィールド２２１３、シーケンス制御（Sequence  Control）フィールド２２１４、などを含んでよい。
【００６１】
フレーム制御フィールド２２１１は、プロトコルバージョン（Protocol  Version）フィールド２２１ａ及びタイプフィールド２２１ｂを含んでよい。プロトコルバージョンフィールド２２１ａは、プローブ要求フレーム２２０が従うプロトコルバージョンを示すために使用され、ここで、プロトコルバージョンは、通常は０である。タイプフィールド２２１ｂは、Ｔｙｐｅ及びＳｕｂｔｙｐｅを含んでよい。Ｔｙｐｅは、対応するフレームが管理フレーム、データフレーム、又は制御フレームであることを示すために使用され、Ｓｕｂｔｙｐｅは、フレームのサブタイプを示すために使用される。例えば、Ｔｙｐｅ＝００は、対応するフレームが管理フレームであることを示し得る。この場合に、Ｓｕｂｔｙｐｅは、ビーコン（Beacon）フレーム、プローブ要求フレーム、及びプローブ応答（Probe  Response）フレームのような、管理フレームのタイプを示し得る。アドレスフィールド２２１３は、発信元アドレス、あて先アドレス、送信ワークステーションアドレス、及び受信ワークステーションアドレスのようなアドレス情報を含んでよい。あて先アドレスは、ユニキャストアドレス（Unicast  address）、マルチキャストアドレス（Multicast  address）、及びブロードキャストアドレス（Broadcast  address）のうちのいずれか１つであってよい。
【００６２】
図２に示されるように、フレーム本体２２２は、ＳＳＩＤフィールド２２２１、サポートレート（Supported  Rate）２２２２、及び拡張サポートレート（Extended  Supported  Rate）２２２３を含む。サポートレート２２２２及び拡張サポートレート２２２３は、携帯電話機又はワイヤレス・ルータ１０４によってサポートされているレートの組を示すために使用される。
【００６３】
プローブ要求フレームは、ＩＥＥＥ８０２．１１では管理フレーム（Management  Frame）であってよい。局（Station，ＳＴＡ）（例えば、携帯電話機１０１）は、プローブ要求フレームを積極的に送信することによってＷｉ−Ｆｉ信号を検出し得る。具体的に、ＳＴＡによって積極的に送信されるプローブ要求フレームは、２つのタイプに分類され得る。
【００６４】
第１のタイプのプローブ要求フレームは、ＳＴＡが位置するエリア内でＷｉ−Ｆｉ信号を検出するために使用され、このタイプのプローブ要求フレームはＳＳＩＤを運ばない。
【００６５】
例えば、ワイヤレス・ルータ１０４によって提供されるワイヤレス・ローカル・エリア・ネットワーク（すなわち、Ｗｉ−Ｆｉネットワーク）のＳＳＩＤはＸｙｚｄであると仮定され、ワイヤレス・ルータ１０４において、ワイヤレス・ルータ１０４によって提供されるＷｉ−ＦｉネットワークのＳＳＩＤは端末に可視的であることが構成される（Ｗｉ−ＦｉネットワークのＳＳＩＤは隠しＳＳＩＤでない。）。この場合に、第１のタイプのプローブ要求フレームを積極的に送信した後に、携帯電話機１０１は、ワイヤレス・ルータ１０４によって提供されるワイヤレス・ローカル・エリア・ネットワークのＳＳＩＤ（例えば、Ｘｙｚｄ）と、携帯電話機１０１が位置するエリア内の他のワイヤレス・ローカル・エリア・ネットワークのＳＳＩＤとを検出し、図３に示されるワイヤレス・ローカル・エリア・ネットワークインターフェイス２０１を表示することができる。図３に示されるように、ワイヤレス・ローカル・エリア・ネットワークインターフェイス２０１は、Ｇ１Ｂ−１Ｂ−１９−７Ｒ−２．４Ｇ  ２０３、Ｘｙｚｄ  ２０４（すなわち、ワイヤレス・ルータ１０４によって提供されるＷｉ−ＦｉネットワークのＳＳＩＤ）、及びＺｈａｎｇｓａｎ  ２０５のような複数のＳＳＩＤを含んでよい。
【００６６】
ワイヤレス・ルータ１０４によって提供されるワイヤレス・ローカル・エリア・ネットワークのＳＳＩＤが“隠しＳＳＩＤ”として構成されることは、具体的に、ワイヤレス・ルータ１０４のワイヤレス信号ＳＳＩＤブロードキャスト機能が無効にされること、又はワイヤレス・ルータ１０４が“ＳＳＩＤをブロードキャストしない”よう構成されることを意味する。例えば、ユーザは、携帯電話機又はＰＣを使用することによって、ワイヤレス・ルータの、図４に示される構成インターフェイス２１１でログインする。図４に示される構成インターフェイス２１１におけるワイヤレス設定選択肢２１２に対応するインターフェイス２１３は、“ワイヤレス・ルータのＳＳＩＤ信号をブロードキャストするための選択肢２１４”を含む。図４に示されるように、ユーザが“ワイヤレス・ルータのＳＳＩＤ信号をブロードキャストするための選択肢２１４”をオフにセットするとき、ワイヤレス・ルータに対応するワイヤレス・ローカル・エリア・ネットワークのＳＳＩＤは“隠しＩＤ”である。
【００６７】
ワイヤレス・ルータ１０４によって提供されるワイヤレス・ローカル・エリア・ネットワークのＳＳＩＤが“隠された状態”にあるとき、ワイヤレス・ルータ１０４は、ワイヤレス・ローカル・エリア・ネットワークのＳＳＩＤを積極的にブロードキャストしない。その上、端末（例えば、携帯電話機）がワイヤレス・ローカル・エリア・ネットワークのＳＳＩＤを検出することもできない。すなわち、ワイヤレス・ローカル・エリア・ネットワークのＳＳＩＤは、端末のＷｉ−Ｆｉリストに表示されない。例えば、図５に示される携帯電話機が、ワイヤレス・ルータ１０４によって提供されるワイヤレス・ローカル・エリア・ネットワークのカバレッジエリアに位置すると仮定される。図４に示されるように、ユーザが“ワイヤレス・ルータのＳＳＩＤ信号をブロードキャストするための選択肢２１４”をオフにセットするとき、Ｘｙｚｄ（すなわち、ワイヤレス・ルータ１０４によって提供されるワイヤレス・ローカル・エリア・ネットワークのＳＳＩＤ）は、図５に示される携帯電話機のＷｉ−Ｆｉリストに表示されない。
【００６８】
ユーザが、ワイヤレス・ルータ１０４によって提供されるワイヤレス・ローカル・エリア・ネットワーク（すなわち、Ｗｉ−Ｆｉネットワーク）へ接続するように携帯電話機１０１を制御するつもりである場合に、ユーザは、図６Ａに示されるワイヤレス・ローカル・エリア・ネットワークインターフェイス２０１において“他”選択肢２０２をタップしてよい。次いで、携帯電話機１０１は、図６Ｂに示されるＷｉ−Ｆｉログインインターフェイス４０１を表示してよい。図６Ｂに示されるように、Ｗｉ−Ｆｉログインインターフェイス４０１は、ＳＳＩＤ入力ボックス４０２及び“参加”選択肢４０３を含んでよい。次いで、図７に示されるように、ユーザがＳＳＩＤ入力ボックス４０２に“Ｘｙｚｄ”を入力し、“参加”選択肢４０３をタップした後に、携帯電話機１０１は、ＳＳＩＤ（すなわち、Ｘｙｚｄ）を運ぶ第２のタイプのプローブ要求フレームを積極的に送信してよい。ＳＳＩＤ（すなわち、Ｘｙｚｄ）を運ぶ第２のタイプのプローブ要求フレームを受信した後に、ワイヤレス・ルータ１０４は、プローブ応答フレームにより携帯電話機１０１に応答してよく、それにより、ワイヤレス・ルータ１０４は、携帯電話機１０１と引き続き相互作用して、ワイヤレス・ローカル・エリア・ネットワークアクセス認証を実行することができる。
【００６９】
第２のタイプのプローブ要求フレームは、ワイヤレス・ローカル・エリア・ネットワークへの目標とされたアクセスのために使用され、このタイプのプローブ要求フレームのＳＳＩＤフィールドは、対応するワイヤレス・ローカル・エリア・ネットワークのＳＳＩＤを含むことが留意されるべきである。例えば、携帯電話機１０１によって積極的に送信される第２のタイプのプローブ要求フレームのＳＳＩＤフィールドは、“Ｘｙｚｄ”（すなわち、ＳＳＩＤ）を含む。
【００７０】
本願において、端末（例えば、携帯電話機１０１）は、ワイヤレス・ルータ１０４によって提供されるＷｉ−ＦｉネットワークのＳＳＩＤ（例えば、“Ｘｙｚｄ”）及びアクセスパスワード（例えば“ｘｙ４５６２５８”）を第２のタイプのプローブ要求フレームに付加し、そして、プローブ要求フレームを送信してよい。このようにして、Ｗｉ−Ｆｉフレームをリッスンするホームデバイスは、プローブ要求フレームを受信し、次いで、プローブ要求フレームにおいて運ばれるＳＳＩＤ及びアクセスパスワードを使用することによってホーム・ワイヤレス・ローカル・エリア・ネットワークへ接続することができる。
【００７１】
ワイヤレス・ルータ１０４によって提供されるＷｉ−ＦｉネットワークのＳＳＩＤ及びアクセスパスワードは、プローブ要求フレームのＳＳＩＤフィールドにおいて運ばれてよい。
【００７２】
以下の実施形態では、端末が如何にして実施形態における具体的な技術的解決法を実装するかについて記載するために、携帯電話機が一例として使用される。図８に示されるように、この実施形態の端末は、携帯電話機１０１であってよい。以下は、一例として携帯電話機１０１を使用することによって、この実施形態を詳細に記載する。
【００７３】
図示される携帯電話機１０１は、端末の一例にすぎず、携帯電話機１０１は、図示されているよりも多い又は少ない部分を有しても、２つの以上の部分の組み合わせを有しても、あるいは、別なふうに配置された部品を有してもよいことが理解されるべきである。図８に示される部分は、１以上の信号処理ユニット及び／又は特定用途向け集積回路を含むハードウェア、ソフトウェア、又はハードウェアとソフトウェアとの組み合わせを使用することによって、実装されてよい。
【００７４】
図８に示されるように、携帯電話機１０１は、ＲＦ（Radio  Frequency，無線周波数）回路９１０、メモリ８２０、入力ユニット８３０、表示ユニット８４０、センサ８５０、オーディオ回路８６０、Ｗｉ−Ｆｉモジュール８７０、プロセッサ８８０、及び電源８９０のような部分を含む。当業者は、図８に示される携帯電話機の構造が携帯電話機に対する如何なる限定も構成せず、携帯電話機は、図示されているよりも多い又は少ない部分、あるいは、いくつかの部分の結合、あるいは、別なふうに配置された部分を含み得ると理解するだろう。
【００７５】
以下は、図８を参照して、携帯電話機１０１の各構成部について詳細に記載する。
【００７６】
ＲＦ回路８１０は、情報を受信及び送信するよう、又はコール中に信号送信するよう構成されてよい。ＲＦ回路８１０は、基地局からダウンリンク情報を受信し、次いで、ダウンリンク情報を処理のためにプロセッサ８８０へ送信する。その上、ＲＦ回路８１０は、アップリンクデータを基地局へ送信する。一般に、ＲＦ回路８１０は、アンテナ、少なくとも１つの増幅器、トランシーバ、カプラ、低雑音増幅器、及びデュプレクサのようなデバイスを含むが限られない。その上、ＲＦ回路８１０は、ワイヤレス通信を通じてネットワーク及び他のモバイルデバイスと更に通信してもよい。グローバル・システム・フォー・モバイル・コミュニケーションズ、汎用パケット無線サービス、符号分割多重アクセス、広帯域符号分割多重アクセス、ロング・ターム・エボリューション、電子メール、ショート・メッセージ・サービス、などを含むがこれらに限られない如何なる通信標準又はプロトコルも、ワイヤレス通信のために使用されてよい。
【００７７】
メモリ８２０は、ソフトウェアプログラム及びデータを記憶するよう構成されてよい。プロセッサ８８０は、メモリ８２０に記憶されるソフトウェアプログラム及びデータを実行して、携帯電話機の様々な機能及びデータ処理を実行する。メモリ８２０は、プログラム記憶領域及びデータ記憶領域を主として含み得る。プログラム記憶領域は、オペレーティング・システム、少なくとも１つの機能（例えば、音声再生機能及び画像再生機能）によって必要とされるアプリケーションプログラム、などを記憶し得る。データ記憶領域は、携帯電話機１０１の使用に基づき生成されるデータ（例えば、音声データ及び連絡帳）、などを記憶し得る。その上、メモリ８２０は、高速ランダム・アクセス・メモリを含んでよく、更には、少なくとも１つの磁気ディスク記憶デバイスのような不揮発性メモリ、フラッシュメモリデバイス、又は他の揮発性ソリッドステート記憶デバイスを含んでもよい。続く実施形態では、メモリ８２０は、例えば、アップルによって開発されたＩＯＳ（登録商標）オペレーティング・システム、グーグルによって開発されたＡｎｄｒｏｉｄ（登録商標）オープンソース、又はマイクロソフトによって開発されたＷｉｎｄｏｗｓ（登録商標）オペレーティング・システムを実行することを携帯電話機１０１に可能にするオペレーティング・システムを記憶する。
【００７８】
入力ユニット８３０（例えば、タッチスクリーン）は、入力された数又は文字情報を受け取り、携帯電話機１０１のユーザ設定及び機能制御に関連したキー信号入力を生成するよう構成されてよい。具体的に、入力ユニット８３０は、図３に示されている、携帯電話機１０１の前面に配置されるタッチパネル８３１を含んでよい。タッチパネル８３１は、タッチパネル８３１又はその近くでのユーザのタッチ操作（例えば、指又はスタイラスのような何らかの適切な物又はアクセサリを使用することによって、タッチパネル８３１で又はタッチパネル８３１の近くで行われる操作）を収集し、前もってセットされたプログラムに従って、対応する接続装置を駆動し得る。任意に、タッチパネル８３１は２つの部分、すなわち、タッチ検出装置及びタッチコントローラを含んでよい（図８に図示せず。）。タッチ検出装置は、ユーザによってタッチされた位置を検出し、タッチ操作によって生成された信号を検出し、信号をタッチコントローラへ送信する。タッチコントローラは、タッチ検出装置からタッチ情報を受信し、タッチ情報をタッチ点座標に変換し、タッチ点座標をプロセッサ８８０へ送信し、そして、プロセッサ８８０によって送信された命令を受信及び実行することができる。その上、タッチパネル８３１は、抵抗型、容量型、赤外線型、及び表面弾性波型のような複数のタイプで実装されてよい。
【００７９】
表示ユニット８４０（すなわち、表示画面）は、ユーザによって入力された情報、又はユーザに提供される情報、及び携帯電話機１０１の様々なメニューのグラフィカル・ユーザ・インターフェイス（Graphical  User  Interface，ＧＵＩ）を表示するよう構成されてよい。表示ユニット８４０は、携帯電話機１０１の前面に配置された表示パネル８４１を含んでよい。表示パネル８４１は、液晶ディスプレイ、有機発光ダイオード、などの形で構成されてよい。
【００８０】
図３に示されるように、いくつかの実施形態で、３つの任意のタッチキー８０１、８０２、及び８０３が、携帯電話機１０１の前面Ａの下に配置され、タッチパネル８３１及び表示パネル８４１が、更に配置される。タッチパネル８３１は表示パネル８４１を覆う。タッチパネル８３１で又はその近くでタッチ操作を検出した後に、タッチパネル８３１は、タッチイベントを決定するためにプロセッサ８８０に対してタッチ操作に関する情報を送信し、次いで、プロセッサ８８０は、タッチイベントのタイプに基づいて、対応する視覚出力を表示パネル８４１で提供する。図８において、タッチパネル８３１及び表示パネル８４１は、携帯電話機１０１の入力及び出力機能を実装するために２つの独立した部分として使用される。しかし、いくつかの実施形態で、タッチパネル８３１及び表示パネル８４１は、携帯電話機１０１の入力及び出力機能を実装するよう一体化されてもよい。一体化されているタッチパネル８３１及び表示パネル８４１は、タッチ表示画面と呼ばれることがある。
【００８１】
いくつかの他の実施形態で、タッチパネル８３１には更に、圧力センサが配置されてもよい。このようにして、ユーザがタッチパネルでタッチ操作を行うとき、タッチパネルは、タッチ操作の圧力を更に検出することができ、それにより、携帯電話機１０１は、タッチ操作をより正確に検出することができる。
【００８２】
携帯電話機１０１は、光センサ、動きセンサ、及び他のセンサのような、少なくとも１つのタイプのセンサ８５０を更に含んでもよい。具体的に、光センサは、周囲光センサ及び近接センサを含んでよい。周囲光センサは、周囲光の明るさに基づいて、表示パネル８４１の輝度を調整してよい。光学式近接センサは、携帯電話機１０１の前面に配置される。携帯電話機１０１が耳に近づくときに、携帯電話機１０１は、光学式近接センサ８５２による検出に基づいて、表示パネル９４１の電力をオフし、それにより、携帯電話機１０１の電力は更にセーブされ得る。動きセンサの１タイプとして、加速度計センサは、全ての方向（通常は、３軸）における加速度の値を検出することができ、携帯電話機１０１が静止しているときには重力の値及び方向を検出することができ、携帯電話機の姿勢を特定する用途（例えば、横向きと縦向きの画面切り替え、関連するゲーム、若しくは磁力計姿勢較正）、振動識別に関連した機能（例えば、ペドメーター若しくはストライク）、などに使用され得る。ジャイロスコープ、気圧計、湿度計、温度計、及び赤外線センサのような、携帯電話機１０１のために更に構成され得る他のセンサについては、詳細はここでは記載されない。
【００８３】
オーディオ回路８６０、ラウドスピーカ８６１、及びマイクロホン８６２は、ユーザと携帯電話機１０１との間のオーディオインターフェイスを提供し得る。オーディオ回路８６０は、受け取られたオーディオデータから変換される電気信号をラウドスピーカ８６１へ送信してよく、ラウドスピーカ８６１は、電気信号を出力のために音響信号に変換する。その上、マイクロホン８６２は、収集された音響信号を電気信号に変換し、オーディオ回路８６０は、電気信号を受信し、電気信号をオーディオデータに変換し、次いで、オーディオデータをＲＦ回路８１０へ出力し、それにより、オーディオデータは、例えば、他の携帯電話機へ送られるか、あるいは、オーディオデータは、更なる処理のためにメモリ８２０へ出力される。
【００８４】
ＷｉＦｉは、短距離ワイヤレス伝送技術である。携帯電話機１０１は、ユーザが電子メールを受信及び送信すること、ウェブページを閲覧すること、ストリーミングメディアにアクセスすること、などを助けるために、ＷｉＦｉモジュール８７０を使用することによってホーム・ワイヤレス・ローカル・エリア・ネットワークへ接続し得る。ＷｉＦｉモジュール８７０は、ワイヤレス・ブロードバンド・インターネット・アクセスをユーザに提供する。
【００８５】
プロセッサ８８０は、携帯電話機１０１の制御センターであり、様々なインターフェイス及びラインを使用することによって携帯電話機の全体の全ての部分へ接続され、メモリ８２０に記憶されているソフトウェアプログラムを起動又は実行することによって、且つ、メモリ９２０に記憶されているデータを呼び出すことによって、携帯電話機１０１の様々な機能を実装し且つデータを処理して、携帯電話機に対する全体的なモニタリングを実行する。いくつかの実施形態で、プロセッサ８８０は、１以上の処理ユニットを含んでよい。アプリケーションプロセッサ及びモデムプロセッサが、プロセッサ８８０に更に組み込まれてもよい。アプリケーションプロセッサは、オペレーティング・システム、ユーザインターフェイス、アプリケーションプログラム、などを主に処理し、モデムプロセッサは、ワイヤレス通信を主に処理する。モデムプロセッサは、代替的に、プロセッサ８８０に組み込まれなくてもよいことが理解され得る。
【００８６】
ブルートゥースモジュール８８１は、ブルートゥースのようなそんな短距離通信プロトコルを使用することによって、他のデバイスと情報を交換するよう構成される。例えば、携帯電話機１０１は、データを交換するために、ブルートゥースモジュール８８１を使用することによって、やはりブルートゥースモジュールを有している装着型電子機器（例えば、スマートウォッチ）へのブルートゥース接続を確立してよい。
【００８７】
携帯電話機１０１は、各部分へ電力を供給する電源８９０（例えば、バッテリ）を更に含む。電源は、電源管理システムを使用することによって充電管理、放電管理、及び電力消費管理のような機能を実装するために、電源管理システムを使用することによってプロセッサ８８０へ論理的に接続されてよい。続く実施形態では、電源８９０は、表示パネル８４１及びタッチパネル８３１へ電力を供給するよう構成されてよいことが理解され得る。
【００８８】
続く実施形態の全ての方法は、上記のハードウェア構造を有している携帯電話機１０１において実装されてよい。
【００８９】
本願は、ワイヤレス・ローカル・エリア・ネットワーク構成方法を提供し、方法は、端末がホームデバイスのためのホーム・ワイヤレス・ローカル・エリア・ネットワークの認証情報（すなわち、ＳＳＩＤ及びアクセスパスワード）を構成するプロセスに適用されてよい。図９に示されるように、本願で提供されるワイヤレス・ローカル・エリア・ネットワーク構成方法は、Ｓ９０１乃至Ｓ９０７を含む。
【００９０】
Ｓ９０１．端末が、第１ワイヤレス・ローカル・エリア・ネットワークの認証情報を取得し、ここで、第１ワイヤレス・ローカル・エリア・ネットワークの認証情報は、第１ワイヤレス・ローカル・エリア・ネットワークのアクセスパスワード及びＳＳＩＤを含む。
【００９１】
第１ワイヤレス・ローカル・エリア・ネットワークは、Ｗｉ−Ｆｉネットワーク、例えば、図１に示されるワイヤレス・ルータ１０４によって提供されるＷｉ−Ｆｉネットワークであってよい。
【００９２】
例えば、端末は、ユーザによって入力された第１ワイヤレス・ローカル・エリア・ネットワークの認証情報を受け取ってよい。例えば、端末は、ホームアプリケーションプログラム（Application，ＡＰＰ）（すなわち、ホームデバイスを制御するアプリケーション）においてユーザによって入力された第１ワイヤレス・ローカル・エリア・ネットワークの認証情報を受け取ってよく、あるいは、端末は、Ｗｉ−Ｆｉ設定インターフェイス（例えば、図６Ｂに示される表示インターフェイス）上でユーザによって入力された第１ワイヤレス・ローカル・エリア・ネットワークの認証情報を受け取ってよい。
【００９３】
Ｓ９０２．端末が、第１ワイヤレス・ローカル・エリア・ネットワークのＳＳＩＤを隠しＳＳＩＤとして構成する。
【００９４】
Ｗｉ−Ｆｉ標準では、隠しＳＳＩＤによりワイヤレス・ローカル・エリア・ネットワークを検出するプローブ要求フレーム（すなわち、上記の第２のタイプのプローブ要求フレーム）がワイヤレス・ローカル・エリア・ネットワークのＳＳＩＤを運んでよいことが、本願の上記の記載から知られる。このＷｉ−Ｆｉ標準に基づいて、端末が第１ワイヤレス・ローカル・エリア・ネットワークのＳＳＩＤを隠しＳＳＩＤとして構成した後に、端末によって送信されるプローブ要求（Probe  Request）フレームは、第１ワイヤレス・ローカル・エリア・ネットワークのＳＳＩＤを運んでよい。本願のプローブ要求フレームは、第１ワイヤレス・ローカル・エリア・ネットワークのＳＳＩＤを運ぶだけではなく、第１ワイヤレス・ローカル・エリア・ネットワークのアクセスパスワードも運ぶ。
【００９５】
Ｓ９０３．端末が少なくとも１つの第１プローブ要求フレームを送信し、ここで、第１プローブ要求フレームは、第１ワイヤレス・ローカル・エリア・ネットワークの認証情報の少なくとも一部を運ぶ。
【００９６】
第１ワイヤレス・ローカル・エリア・ネットワークの認証情報を取得した後に、端末は、第１ワイヤレス・ローカル・エリア・ネットワークの認証情報を、第１ワイヤレス・ローカル・エリア・ネットワークのＳＳＩＤとして、送信のために少なくとも１つの第１プローブ要求フレームに付加してよい。
【００９７】
一般に、端末がプローブ要求フレームを送信した後、ＡＰ（例えば、ワイヤレス・ルータ１０４）はプローブ要求フレームを受信してよく、ＡＰによって提供されるワイヤレス・ローカル・エリア・ネットワークのＳＳＩＤがプローブ要求フレームで運ばれるＳＳＩＤと同じである場合に、ＡＰは、プローブ要求に応答してプローブ応答フレームを端末へ返す。本願の第１プローブ要求フレームは、第１ワイヤレス・ローカル・エリア・ネットワークを検出するよう意図されず、第１ワイヤレス・ローカル・エリア・ネットワークの認証情報をホームデバイスへ送信するよう意図される。従って、第１プローブ要求フレームは、第１ワイヤレス・ローカル・エリア・ネットワークを確立するＡＰによって応答されない。
【００９８】
第１プローブ要求フレームのＳＳＩＤフィールドは、第１ワイヤレス・ローカル・エリア・ネットワークの認証情報の少なくとも一部を運ぶ。すなわち、第１ワイヤレス・ローカル・エリア・ネットワークの認証情報の少なくとも一部は、第１プローブ要求フレームのＳＳＩＤフィールドにおいて運ばれ得る。
【００９９】
Ｓ９０４．ホームデバイスがＷｉ−Ｆｉフレームをリッスンし、ここで、Ｗｉ−Ｆｉフレームはプローブ要求フレームを含む。
【０１００】
プローブ要求フレーム（Probe  Request  frame）は、Ｗｉ−Ｆｉフレームにおける管理フレームである。ホームデバイスは、リアルタイムでＷｉ−Ｆｉフレームをリッスンすることができる。具体的に言えば、端末が第１プローブ要求フレームを送信した後に、ホームデバイスは、第１プローブ要求フレームをリッスン及び取得し、第１プローブ要求フレームを受信することができる。
【０１０１】
例えば、ホームデバイスは、スニファリスニングモードでＷｉ−Ｆｉフレームをリッスンすることができる。スニファは、探嗅器と呼ばれることがあり、あるいは、パケット捕捉ソフトウェアと呼ばれてもよく、ネットワークステータス、データフローステータス、及びネットワーク上で伝送される情報をモニタするために使用され得る技術である。
【０１０２】
Ｓ９０５．１つの第１プローブ要求フレームを受信した後に、ホームデバイスが、第１プローブ要求フレームで運ばれた第１ワイヤレス・ローカル・エリア・ネットワークの認証情報の少なくとも一部を取得する。
【０１０３】
Ｓ９０６．ホームデバイスが、第１ワイヤレス・ローカル・エリア・ネットワークの認証情報を取得するために、少なくとも１つの第１プローブ要求フレームで運ばれた第１ワイヤレス・ローカル・エリア・ネットワークの認証情報の部分をパースする。
【０１０４】
第１ワイヤレス・ローカル・エリア・ネットワークの認証情報の少なくとも一部は、第１プローブ要求フレームのＳＳＩＤフィールドにおいて運ばれてよい。１つの第１プローブ要求フレームを受信した後に、端末は、ＳＳＩＤフィールドで運ばれた第１ワイヤレス・ローカル・エリア・ネットワークの認証情報の少なくとも一部を取得するために、第１プローブ要求フレームのＳＳＩＤフィールドをパースする。
【０１０５】
更に、第１ワイヤレス・ローカル・エリア・ネットワークの認証情報の安全性を改善し、ワイヤレス・ローカル・エリア・ネットワークの認証情報が盗まれることを防ぐために、端末は、第１ワイヤレス・ローカル・エリア・ネットワークの認証情報を暗号化し、暗号化された認証情報を送信のために第１プローブ要求フレームのＳＳＩＤフィールドに付加してもよい。端末は、ユーザによって前もってセットされた暗号パスワードを使用することによって第１ワイヤレス・ローカル・エリア・ネットワークの認証情報を暗号化してよく、あるいは、ホームデバイスで事前構成された暗号パスワードを使用することによって第１ワイヤレス・ローカル・エリア・ネットワークの認証情報を暗号化してもよい。暗号デバイスは、対応する暗号パスワードを使用することによって、第１ワイヤレス・ローカル・エリア・ネットワークの受信された暗号化された認証情報を暗号解読してよい。
【０１０６】
代替的に、端末及びホームデバイスは別々に、非対称暗号アルゴリズムを使用することによって第１ワイヤレス・ローカル・エリア・ネットワークの認証情報を暗号化及び暗号解読してもよい。例えば、公開鍵（public  key）がホームデバイスでマークされてよく、端末は、公開鍵を使用することによって第１ワイヤレス・ローカル・エリア・ネットワークの認証情報を暗号化してよい。ホームデバイスは、公開鍵に対応する秘密鍵（private  key）を使用することによって第１ワイヤレス・ローカル・エリア・ネットワークの、公開鍵を使用することによって暗号化された認証情報を暗号解読してよい。異なるホームデバイスでマークされた公開鍵（public  key）は、同じであっても、又は異なってもよい。
【０１０７】
Ｓ９０７．ホームデバイスが、第１ワイヤレス・ローカル・エリア・ネットワークの認証情報を使用することによって、第１ワイヤレス・ローカル・エリア・ネットワークへ接続する。
【０１０８】
第１ワイヤレス・ローカル・エリア・ネットワークの認証情報を取得した後に、ホームデバイスは、第１ワイヤレス・ローカル・エリア・ネットワークの認証情報を使用することによって第１ワイヤレス・ローカル・エリア・ネットワークへ接続し得る。この場合に、ユーザは、ホームデバイスに対する遠隔のインテリジェント制御を実装するために、端末を使用して、第１ワイヤレス・ローカル・エリア・ネットワークへ接続するようにホームデバイスを制御することができる。
【０１０９】
本願で提供されるワイヤレス・ローカル・エリア・ネットワーク構成方法によれば、Ｗｉ−Ｆｉ標準において、隠しＳＳＩＤを用いるワイヤレス・ローカル・エリア・ネットワークの場合に、プローブ要求フレームがワイヤレス・ローカル・エリア・ネットワークのＳＳＩＤを運び得る。Ｗｉ−Ｆｉ標準におけるこの規約に基づいて、端末は、第１ワイヤレス・ローカル・エリア・ネットワークの認証情報を取得した後に、第１ワイヤレス・ローカル・エリア・ネットワークのＳＳＩＤを隠しＩＤとして構成してよい。この場合に、端末は、第１ワイヤレス・ローカル・エリア・ネットワークの認証情報を運ぶプローブ要求フレーム（すなわち、probe  requestフレーム又は第１プローブ要求フレーム）を送信してよい。
【０１１０】
端末によって送信されるプローブ要求フレームは、ワイヤレス・ルータによって転送される必要がなく、それにより、ワイヤレス・ルータ上の他のデータサービスに対する影響はない。その上、プローブ要求フレームはＷｉ−Ｆｉ管理フレームであり、如何なるホームデバイスにおけるＷｉ−Ｆｉモジュールもプローブ要求フレームをリッスンし受信することができる。これは、ホームデバイスがプローブ要求フレームを受信することができ、従って、ＳＳＩＤ及びアクセスパスワードを使用することによって第１ワイヤレス・ローカル・エリア・ネットワークへ接続するために、プローブ要求フレームのＳＳＩＤフィールドで運ばれるＳＳＩＤ及びアクセスパスワードを取得することができることを確かにし得る。すなわち、本願は、ホームデバイスのためのホーム・ワイヤレス・ローカル・エリア・ネットワークの認証情報を構成することの成功率を高め、且つ、ホームデバイスをホーム・ワイヤレス・ローカル・エリア・ネットワークに接続することの効率を改善することができる。
【０１１１】
更に、ホームデバイスが不適切なワイヤレス・ローカル・エリア・ネットワークへ接続することを防ぐために、例えば、ホームデバイスが、他のホーム・ワイヤレス・ローカル・エリア・ネットワークの認証情報を運ぶプローブ要求フレームを受信した後に、他のホーム・ワイヤレス・ローカル・エリア・ネットワークへ接続する場合を防ぐために、本願の第１プローブ要求フレームのＳＳＩＤフィールドは特徴コードを更に運んでもよく、ここで、特徴コードは、端末を識別するために使用される。
【０１１２】
ホームデバイスが１つのプローブ要求フレームを受信した後に、プローブ要求フレームのＳＳＩＤフィールドの中の特徴コードが、前もってセットされた特徴コードとは異なる場合に、それは、ＳＳＩＤフィールドを運ぶプローブ要求フレームが、指定された端末によって送信されていないことを示し、ホームデバイスは、ＳＳＩＤフィールドで運ばれたＳＳＩＤに対応するワイヤレス・ローカル・エリア・ネットワークへ接続することができない。この場合に、ホームデバイスは、プローブ要求フレームを捨ててよい。
【０１１３】
１つの第１プローブ要求フレームのＳＳＩＤフィールドは、限られた量のデータしか運べないことが理解され得る。例えば、１つの第１プローブ要求フレームのＳＳＩＤフィールドは、最大３２バイトのデータを運ぶことができるが、第１ワイヤレス・ローカル・エリア・ネットワークの認証情報は、３２より多いバイトを含むことがある。この場合に基づいて、端末は、第１ワイヤレス・ローカル・エリア・ネットワークの認証情報を少なくとも２つの部分に分け、得られた少なくとも２つの部分認証情報片を少なくとも２つの第１プローブ要求フレームのＳＳＩＤフィールドに夫々加えてよい。
【０１１４】
１つのプローブ要求フレームのＳＳＩＤフィールドでは、完全な“第１ワイヤレス・ローカル・エリア・ネットワークの認証情報”を運ぶには不十分である場合に、端末によって送信される少なくとも２つの第１プローブ要求フレームのＳＳＩＤフィールドは、対応する部分認証情報のセグメント識別子を更に運ぶ。セグメント識別子は、“第１ワイヤレス・ローカル・エリア・ネットワークの認証情報”の中の対応する部分認証情報の位置又は再組み立てシーケンスを示すために使用されてよい。
【０１１５】
この場合に、図１０に示される、図９に示されるＳ９０３の前且つ図９に示されるＳ９０１の後に、本願の方法は、Ｓ１００１を更に含んでよく、図９に示されるＳ９０３は、Ｓ９０３′により置き換えられてよく、図９に示されるＳ９０６は、Ｓ９０６′により置き換えられてよい。
【０１１６】
Ｓ１００１．端末が、少なくとも２つの部分認証情報片を取得するために、第１ワイヤレス・ローカル・エリア・ネットワークの認証情報を少なくとも２つの部分に分ける。
【０１１７】
Ｓ９０３′．端末が少なくとも２つの第１プローブ要求フレームを送信し、ここで、少なくとも２つの第１プローブ要求フレームの夫々が１つの部分認証情報片を運ぶ。
【０１１８】
少なくとも２つの第１プローブ要求フレームは、少なくとも２つの部分認証情報片と一対一の対応にある。すなわち、少なくとも２つの第１プローブ要求フレームの中のプローブ要求フレームの数量は、少なくとも２つの部分認証情報片の中の部分認証情報片の数量と同じであり、１の第１プローブ要求フレームの夫々が１片の部分認証情報を運ぶ。
【０１１９】
具体的に、部分認証情報は、第１プローブ要求フレームのＳＳＩＤフィールドにおいて運ばれる。
【０１２０】
Ｓ９０６′．ホームデバイスは、少なくとも２つの第１プローブ要求フレームのＳＳＩＤフィールドをパースし、各ＳＳＩＤフィールドからパースされたセグメント識別子に基づいて、少なくとも２つの第１プローブ要求フレームのＳＳＩＤフィールドで運ばれた部分認証情報を組み立てし直して、第１ワイヤレス・ローカル・エリア・ネットワークの認証情報を取得する。
【０１２１】
例えば、第１ワイヤレス・ローカル・エリア・ネットワークの認証情報は、６０バイトのデータ、例えば、“xxxxxxxxxxxxxxxxxxxxxxxxxxxxxxyyyyyyyyyyyyyyyyyyyyyyyyyyyyyy”であると仮定される。この場合に、１つの第１プローブ要求フレームのＳＳＩＤフィールドは、４８バイトのデータを運ぶには不十分であり、端末は、第１ワイヤレス・ローカル・エリア・ネットワークの認証情報を２つのセグメント“xxxxxxxxxxxxxxxxxxxxxxxxxxxxxx”及び“yyyyyyyyyyyyyyyyyyyyyyyyyyyyyy”に分けてよい。“xxxxxxxxxxxxxxxxxxxxxxxxxxxxxx”は、第１プローブ要求フレーム１のＳＳＩＤフィールド１において運ばれてよく、“yyyyyyyyyyyyyyyyyyyyyyyyyyyyyy”は、第１プローブ要求フレーム２のＳＳＩＤフィールド２において運ばれてよい。
【０１２２】
端末の特徴コードは、１バイトの情報dであってよく、“xxxxxxxxxxxxxxxxxxxxxxxxxxxxxx”のセグメント識別子は、デジット1であり、“yyyyyyyyyyyyyyyyyyyyyyyyyyyyyy”のセグメント識別子は、デジット2であると仮定される。この場合に、ＳＳＩＤフィールド１及びＳＳＩＤフィールド２に含まれる情報は、次の通りである。
【０１２３】
ＳＳＩＤフィールド１は、“1dxxxxxxxxxxxxxxxxxxxxxxxxxxxxxx”を含む。
【０１２４】
ＳＳＩＤフィールド２は、“2dyyyyyyyyyyyyyyyyyyyyyyyyyyyyyy”を含む。
【０１２５】
第１プローブ要求フレーム１及び第１プローブ要求フレーム２を受信した後に、ホームデバイスは、ＳＳＩＤフィールド１及びＳＳＩＤフィールド２の中の特徴コード“d”に基づいて、２つのプローブ要求フレームが端末によって送信されたプローブ要求フレームであると決定し、ＳＳＩＤフィールド１の中のセグメント識別子“1”に基づいて、ＳＳＩＤフィールド１に含まれる部分認証情報“xxxxxxxxxxxxxxxxxxxxxxxxxxxxxx”が第１ワイヤレス・ローカル・エリア・ネットワークの認証情報の第１部分であると決定し、ＳＳＩＤフィールド２の中のセグメント識別子“2”に基づいて、ＳＳＩＤフィールドに含まれる部分認証情報“yyyyyyyyyyyyyyyyyyyyyyyyyyyyyy”が第１ワイヤレス・ローカル・エリア・ネットワークの認証情報の第２部分であると決定し得る。次いで、ホームデバイスは、２つのＳＳＩＤフィールドの中のセグメント識別子に基づいて２つのＳＳＩＤフィールドの中の部分認証情報を組み立て直して、第１ワイヤレス・ローカル・エリア・ネットワークの認証情報を取得し得る。
【０１２６】
確かに、１つのプローブ要求フレームのＳＳＩＤフィールドで第１ワイヤレス・ローカル・エリア・ネットワークの認証情報を運ぶのに十分である場合には、端末は、１つの第１プローブ要求フレームしか送信しなくてよく、このとき、第１プローブ要求フレームのＳＳＩＤフィールドが、第１ワイヤレス・ローカル・エリア・ネットワークの認証情報を含む。
【０１２７】
本願では、１つのプローブ要求フレームのＳＳＩＤフィールドでは、完全な“第１ワイヤレス・ローカル・エリア・ネットワークの認証情報”を送信するには不十分である場合に、第１ワイヤレス・ローカル・エリア・ネットワークの認証情報はセグメント化され、複数のプローブ要求フレームのＳＳＩＤフィールドにおいて送信されてよい。ホームデバイスは、第１ワイヤレス・ローカル・エリア・ネットワークの認証情報を取得するために、ＳＳＩＤフィールドの中のセグメント識別子に基づいて、複数のＳＳＩＤフィールドの中の情報を組み立てし直しさえすればよい。
【０１２８】
いくつかの実施形態で、端末は、ユーザがホームアプリケーションにおいて入力した第１ワイヤレス・ローカル・エリア・ネットワークの認証情報を受け取ってよい。これらの実施形態では、Ｓ９０１の前に、本願の方法はＳ１１０１を更に含んでよい。例えば、図１１に示されるように、図９に示されるＳ９０１の前に、本願の方法はＳ１１０１を含んでよい。
【０１２９】
Ｓ１１０１．端末が、第１アプリケーションの表示インターフェイスを表示し、ここで、第１インターフェイスの表示インターフェイスは、認証情報入力ウィンドウを含む。
【０１３０】
端末は、第１の命令に応答して第１アプリケーションの表示インターフェイスを表示してよく、ここで、第１の命令は、第１アプリケーションの開始命令であってよい。
【０１３１】
例えば、本願の第１アプリケーションは、図１２Ａに示される“ホーム”アイコン１１０１に対応するアプリケーションであってよい。図１２Ａに示されるように、ユーザが“ホーム”アイコン１１０１をタップした後に、端末は、図１２Ｂに示される表示インターフェイスを表示してよく、図１２Ｂに示される表示インターフェイスは、“ホームデバイスを追加するウィンドウ１１０２”及び“認証情報追加”選択肢１１０３を含む。端末は、ユーザが“ホームデバイスを追加するウィンドウ１１０２”に入力した追加されるべきホームデバイスの識別子を受け取ってよい。
【０１３２】
ユーザが“認証情報追加”選択肢１１０３をタップした後に、端末は、図１２Ｃに示される表示インターフェイスを表示してよく、図１２Ｃに示される表示インターフェイスは、認証情報入力ウィンドウを含む。図１２Ｃに示されるように、認証情報入力ウィンドウは、“ＳＳＩＤ入力ウィンドウ”１１０４、“アクセスパスワード入力ウィンドウ”１１０５、及び“ＯＫ”ボタン１１０６を含んでよい。“ＳＳＩＤ入力ウィンドウ”１１０４は、ホーム・ワイヤレス・ローカル・エリア・ネットワーク（例えば、第１ワイヤレス・ローカル・エリア・ネットワーク）のＳＳＩＤを入力するために使用され、“アクセスパスワード入力ウィンドウ”１１０５は、ホーム・ワイヤレス・ローカル・エリア・ネットワークのアクセスパスワードを入力するために使用され、“ＯＫ”ボタン１１０６は、入力されたＳＳＩＤ及びアクセスパスワードを承認するために使用される。
【０１３３】
相応して、図１１に示されるように、図９に示されるＳ９０１は、Ｓ１１０２により置き換えられてよい。
【０１３４】
Ｓ１１０２．端末は、ユーザが認証情報入力ウィンドウに入力した第１ワイヤレス・ローカル・エリア・ネットワークの認証情報を取得する。
【０１３５】
例えば、端末は、図１３に示される“ＳＳＩＤ入力ウィンドウ”１１０４においてユーザによって入力されたＳＳＩＤ（例えば、Ｘｙｚｄ）を取得し、図１３に示される“アクセスパスワード入力ウィンドウ”１１０５においてユーザによって入力されたアクセスパスワード（例えば、ｘｙ４５６２５８）を取得してよい。
【０１３６】
ユーザが図１３に示される“ＯＫ”ボタン１１０をタップする場合に、端末は、第１ワイヤレス・ローカル・エリア・ネットワークのＳＳＩＤを隠しＳＳＩＤとして構成するようにＳ９０２を実行してよい。
【０１３７】
本願の端末は、Ａｎｄｒｏｉｄオペレーティング・システムを含む端末であってよく、あるいは、端末は、ＩＯＳオペレーティング・システムを含む端末であってよく、あるいは、端末は、他のオペレーティング・システムを含む端末であってよいことが留意されるべきである。これは、本願において制限されない。
【０１３８】
例えば、端末は、“第１ワイヤレス・ローカル・エリア・ネットワークのＳＳＩＤを隠しＳＳＩＤとして構成すること”及び“第１ワイヤレス・ローカル・エリア・ネットワークと関連付けること”のような機能を実装するために、Ｗｉ−Ｆｉマネージャによって提供されるアプリケーション・プログラミング・インターフェイス（Application  Programming  Interface，ＡＰＩ）を呼び出してよい。configは、WifiConfigurationタイプの変数である。
【０１３９】
端末は、第１ワイヤレス・ローカル・エリア・ネットワークのＳＳＩＤを隠しＳＳＩＤとして構成し、第１ワイヤレス・ローカル・エリア・ネットワークのアクセスパスワードをからであるようにセットするために、次のコードを実行してよい：
{
apConfig.hidden  SSID=true;      //隠しＩＤ
apConfig.allowdKeyManagement.set(WifiConfiguration.KeyMgmt.NONE);
//アクセスパスワードをからであるようにセット
}
【０１４０】
端末は、第１ワイヤレス・ローカル・エリア・ネットワークの記述を加えるために、すなわち、第１ワイヤレス・ローカル・エリア・ネットワークのＳＳＩＤ及びアクセスパスワードを第１ワイヤレス・ローカル・エリア・ネットワークのＳＳＩＤフィールドに書き込むために、関数netId=addNetwork(WifiConfiguration  config)を呼び出し、且つ、第１ワイヤレス・ローカル・エリア・ネットワークと関連付けるよう試みるために、関数enableNetwork(int  netId,  boolean  attemptConnect)を呼び出してよい。“enableNetwork(int  netId,  boolean  attemptConnect)”を実行した後、端末は、ＳＳＩＤフィールドが“第１ワイヤレス・ローカル・エリア・ネットワークのＳＳＩＤ及びアクセスパスワード”を運ぶプローブ要求フレームを送信してよい。
【０１４１】
ユーザが図１３に示される“ＯＫ”ボタン１１０６をタップした後に、端末は、図１４に示されるＷｉ−Ｆｉログインインターフェイスを表示してよく、それにより、ユーザは、図１４に示されるＷｉ−Ｆｉログインインターフェイス上で、第１ワイヤレス・ローカル・エリア・ネットワーク（例えば、ＳＳＩＤがＸｙｚｄであるＷｉ−Ｆｉネットワーク）へ接続するように端末を制御することができることが理解され得る。
【０１４２】
ＩＯＳオペレーティング・システムの互換性問題のために、ＩＯＳ端末は、第１ワイヤレス・ローカル・エリア・ネットワークの認証情報を直接しようすることができないことがある。この場合に基づいて、端末がＩＯＳ端末である場合に、第１ワイヤレス・ローカル・エリア・ネットワークの認証情報を取得した後に、ＩＯＳ端末は、第１ワイヤレス・ローカル・エリア・ネットワークの認証情報を含むＩＯＳ記述ファイルをＩＯＳ端末のＩＯＳシステムにインポートしてよく、それにより、ＩＯＳ端末は、第１ワイヤレス・ローカル・エリア・ネットワークの認証情報を使用することができる。ＩＯＳ記述ファイルは、ＩＯＳ端末のＩＯＳシステムと互換性がある。例えば、ＩＯＳ記述ファイルは、名称の末尾に“.mobileco”を付け加えられているファイルであってよい。
【０１４３】
具体的に、Ｓ９０１又はＳ１１０２の後且つＳ９０３又はＳ９０３′の前に、本願の方法は、Ｓ１５０１乃至Ｓ１５０３を更に含んでよい。例えば、図１５Ａに示されるように、図１１に示されるＳ１１０２の後且つ図１１に示されるＳ９０３′の前に、本願の方法は、Ｓ１５０１乃至Ｓ１５０３を更に含んでよい。
【０１４４】
Ｓ１５０１．端末が、第１ワイヤレス・ローカル・エリア・ネットワークの認証情報をＩＯＳ記述ファイルに付加する。
【０１４５】
ユーザが図１６Ａ（すなわち、図１３）に示される“ＯＫ”ボタン１１０６をタップした後、端末は、第１ワイヤレス・ローカル・エリア・ネットワークの認証情報をＩＯＳ記述ファイルに付加してよい。
【０１４６】
Ｓ１５０２．端末が、ＩＯＳ端末の記述ファイルインストールインターフェイスを表示する。
【０１４７】
例えば、ユーザが図１６Ａに示される“ＯＫ”ボタン１１０６をタップした後、端末は、端末の、図１６Ｂに示される“記述ファイルインストールインターフェイス”１４０１を表示してよい。
【０１４８】
Ｓ１５０３．端末が、記述ファイルインストールインターフェイスでユーザの第１入力を取得し、第１入力に応答してＩＯＳ記述ファイルをＩＯＳ端末のＩＯＳシステムにインポートする。
【０１４９】
例えば、ユーザが図１４Ｂの“記述ファイルインストールインターフェイス”１４０１で“インストール”選択肢１４０２をタップした後、端末は、図１６Ｃに示される表示インターフェイスを表示してよい。ユーザが図１７Ａ（すなわち、図１６Ｃ）の“次へ”選択肢１４０３をタップした後、端末は、図１７Ｂに示される表示インターフェイスを表示してよい。ユーザが図１７Ｂの“インストール”選択肢１５０１をタップした後、端末は、Ｓ１５０３の“ＩＯＳ記述ファイルをＩＯＳシステムにインポートする”動作を実行する。
【０１５０】
例えば、第１入力は、ユーザによって図１６Ｂの“インストール”選択肢１４０２をタップすることによってトリガされる命令と、ユーザによって図１７Ａの“次へ”選択肢１４０３をタップすることによってトリガされる命令と、ユーザによって図１７Ｂの“インストール”選択肢１５０１をタップすることによってトリガされる命令とを含んでよい。
【０１５１】
端末が第１入力を受け取った後（例えば、ユーザが図１８Ａの“インストール”選択肢１５０１をタップする場合）に、端末は、図１８Ｂに示されるＷｉ−Ｆｉログインインターフェイスを表示してよく、それにより、ユーザは、図１８Ｂに示されるＷｉ−Ｆｉログインインターフェイス上で、第１ワイヤレス・ローカル・エリア・ネットワーク（Ｘｙｚｄ）へ接続するように端末を制御することできることが理解され得る。
【０１５２】
端末がＡｎｄｒｏｉｄ端末又はＩＯＳ端末であるかどうかに関わらず、端末は、ユーザが図１３に示される“ＯＫ”ボタン１１０６をタップすることを検出する場合にＳ９０２を実行して、第１ワイヤレス・ローカル・エリア・ネットワークのＳＳＩＤを隠しＳＳＩＤとして構成してよいことが理解され得る。
【０１５３】
代替的に、端末がＩＯＳ端末である場合に、端末は、ユーザが図１６Ｂに示される“インストール”選択肢１４０１をタップすることを検出するときにＳ９０２を更に実行して、第１ワイヤレス・ローカル・エリア・ネットワークのＳＳＩＤを隠しＳＳＩＤとして構成してもよく、あるいは、ユーザが図１６Ｃに示される“次へ”選択肢１４０３又は図１８Ａに示される“インストール”選択肢１５０１をタップすることを検出するときにＳ９０２を実行して、第１ワイヤレス・ローカル・エリア・ネットワークのＳＳＩＤを隠しＳＳＩＤとして構成してもよい。
【０１５４】
更に、全てのホームデバイスが第１ワイヤレス・ローカル・エリア・ネットワークへ接続された後、ホームデバイスは、ホームアプリケーションインターフェイスを表示し且つ第１ワイヤレス・ローカル・エリア・ネットワークを使用することによってホームデバイスと通信するように端末に指示するために、第１ワイヤレス・ローカル・エリア・ネットワークを使用することによってネットワーク構成成功メッセージを端末（Ａｎｄｒｏｉｄ端末、ＩＯＳ端末、又は他のタイプの端末）へ送信してよい。
【０１５５】
例えば、図１４及び図１８Ｂに示される表示インターフェイスが表示される場合に、端末がホームデバイスによって送信されたネットワーク構成成功メッセージを受信するならば、図１９に示される表示インターフェイスが表示されてよい。図１９に示される表示インターフェイスは、ネットワーク構成成功プロンプトウィンドウ１９０１を含む。ネットワーク構成成功プロンプトウィンドウ１９０１は、“ネットワークはテレビ受像機のために成功裏に構成された”のようなプロンプトメッセージを表示してよい。
【０１５６】
本願で提供されるワイヤレス・ローカル・エリア・ネットワーク構成方法によれば、端末は、“Ｗｉ−Ｆｉフレーム（プローブ要求フレーム）を送信し、このとき、プローブ要求フレームのＳＳＩＤフィールドが第１ワイヤレス・ローカル・エリア・ネットワークの認証情報を運ぶ”方法でホームデバイスのために第１ワイヤレス・ローカル・エリア・ネットワークの認証情報を構成することができる。端末によって送信されるプローブ要求フレームは、ワイヤレス・ルータによって転送される必要がなく、それにより、ワイヤレス・ルータ上の他のデータサービスに対する影響はない。
【０１５７】
その上、プローブ要求フレームはＷｉ−Ｆｉ管理フレームであり、如何なるホームデバイスにおけるＷｉ−Ｆｉモジュールもプローブ要求フレームをリッスンし受信することができる。これは、ホームデバイスがプローブ要求フレームを受信することができ、従って、認証情報を使用することによって第１ワイヤレス・ローカル・エリア・ネットワークへ接続するために、プローブ要求フレームのＳＳＩＤフィールドで運ばれる認証情報を取得することができることを確かにし得る。すなわち、本願は、ホームデバイスのためのホーム・ワイヤレス・ローカル・エリア・ネットワークの認証情報を構成することの成功率を高め、且つ、ホームデバイスをホーム・ワイヤレス・ローカル・エリア・ネットワークに接続することの効率を改善することができる。
【０１５８】
本願は、ワイヤレス・ローカル・エリア・ネットワーク構成方法を提供する。図２０に示されるように、ワイヤレス・ローカル・エリア・ネットワーク構成方法は、Ｓ２００１乃至Ｓ２００７を含む。
【０１５９】
Ｓ２００１．端末が、第１ワイヤレス・ローカル・エリア・ネットワークの認証情報を取得し、ここで、第１ワイヤレス・ローカル・エリア・ネットワークの認証情報は、第１ワイヤレス・ローカル・エリア・ネットワークのアクセスパスワード及びＳＳＩＤを含む。
【０１６０】
第１ワイヤレス・ローカル・エリア・ネットワークの認証情報を取得するために端末によって使用される具体的な方法については、本願のＳ９０１についての詳細な説明を参照されたい。詳細は、再び本願においてここで記載されない。
【０１６１】
Ｓ２００２．端末が、第１ワイヤレス・ローカル・エリア・ネットワークの認証情報を取得することに応答して、第１ワイヤレス・ローカル・エリア・ネットワークのＳＳＩＤを隠しＳＳＩＤとして構成する。
【０１６２】
端末は、Ｓ２００１の“第１ワイヤレス・ローカル・エリア・ネットワークの認証情報を取得する”動作に応答して、第１ワイヤレス・ローカル・エリア・ネットワークのＳＳＩＤを隠しＳＳＩＤとして構成してよい。例えば、ユーザが図１３に示される認証情報入力ウィンドウにおいて“第１ワイヤレス・ローカル・エリア・ネットワークの認証情報”を入力した後に、ユーザが図１３に示される“ＯＫ”ボタン１１０６をタップするとき、端末は、第１ワイヤレス・ローカル・エリア・ネットワークの認証情報を取得し得る。この場合に、端末は、端末による“第１ワイヤレス・ローカル・エリア・ネットワークの認証情報を取得する”動作に応答して、Ｓ２００２の“第１ワイヤレス・ローカル・エリア・ネットワークのＳＳＩＤを隠しＳＳＩＤとして構成する”動作を実行してよい。
【０１６３】
Ｓ２００３．端末が、第１ワイヤレス・ローカル・エリア・ネットワークのＳＳＩＤを隠しＳＳＩＤとして構成することに応答して、少なくとも１つの第１プローブ要求フレームを送信し、ここで、第１プローブ要求フレームが、第１ワイヤレス・ローカル・エリア・ネットワークの認証情報の少なくとも一部を運ぶ。
【０１６４】
端末は、Ｓ２００２の“第１ワイヤレス・ローカル・エリア・ネットワークのＳＳＩＤを隠しＳＳＩＤとして構成する”動作に応答して、少なくとも１つの第１プローブ要求フレームを送信してよい。例えば、ユーザが図１８Ａに示される“インストール”ボタン１５０１をタップする場合に、端末は、第１ワイヤレス・ローカル・エリア・ネットワークのＳＳＩＤを隠しＳＳＩＤとして構成し、次いで、第１ワイヤレス・ローカル・エリア・ネットワークのＳＳＩＤを隠しＳＳＩＤとして構成することに応答して、少なくとも１つの第１プローブ要求フレームを送信してよい。
【０１６５】
Ｓ２００４．ホームデバイスがＷｉ−Ｆｉフレームをリッスンし、ここで、Ｗｉ−Ｆｉフレームはプローブ要求フレームを含む。
【０１６６】
Ｓ２００５．１つの第１プローブ要求フレームを受信した後に、ホームデバイスは、第１プローブ要求フレームで運ばれた第１ワイヤレス・ローカル・エリア・ネットワークの認証情報の少なくとも一部を取得する。
【０１６７】
Ｓ２００６．ホームデバイスが、第１ワイヤレス・ローカル・エリア・ネットワークの認証情報を取得するために、少なくとも１つの第１プローブ要求フレームで運ばれた第１ワイヤレス・ローカル・エリア・ネットワークの認証情報の部分をパースする。
【０１６８】
Ｓ２００７．ホームデバイスが、第１ワイヤレス・ローカル・エリア・ネットワークの認証情報を使用することによって、第１ワイヤレス・ローカル・エリア・ネットワークへ接続する。
【０１６９】
本願のＳ２００４乃至Ｓ２００７についての詳細な説明については、本願のＳ９０４乃至Ｓ９０７についての詳細な説明が参照され得ることが留意されるべきである。詳細は、再び本願においてここで記載されない。
【０１７０】
更に、図２０に示されるＳ２００３の前且つ図２０に示されるＳ２００１の後に、本願の方法は、Ｓ２１０１を更に含んでよく、Ｓ２００３は、Ｓ２００３′により置き換えられてよく、Ｓ２００６は、Ｓ２００６′により置き換えられてよい。
【０１７１】
Ｓ２１０１．端末が、第１ワイヤレス・ローカル・エリア・ネットワークの認証情報を取得することに応答して、少なくとも２つの部分認証情報片を取得するために、第１ワイヤレス・ローカル・エリア・ネットワークの認証情報を少なくとも２つの部分に分割する。
【０１７２】
本願の“端末によって、少なくとも２つの部分認証情報片を取得するために、第１ワイヤレス・ローカル・エリア・ネットワークの認証情報を少なくとも２つの部分に分割する”方法については、本願のＳ１００１についての詳細な説明を参照されたい。詳細は、再び本願においてここで記載されない。
【０１７３】
Ｓ２００３′．端末が、第１ワイヤレス・ローカル・エリア・ネットワークのＳＳＩＤを隠しＳＳＩＤとして構成することに応答して、少なくとも２つの第１プローブ要求フレームを送信し、ここで、少なくとも２つの第１プローブ要求フレームの夫々が、１片の部分認証情報を運ぶ。
【０１７４】
本願の“端末が少なくとも２つの第１プローブ要求フレームを送信する”こと及び“少なくとも２つの第１プローブ要求フレームの夫々が１片の部分認証情報を運ぶ”ことについての詳細な説明については、本願のＳ９０３′についての詳細な説明を参照されたい。詳細は、再び本願においてここで記載されない。
【０１７５】
Ｓ２００６′．ホームデバイスが、少なくとも２つの第１プローブ要求フレームのＳＳＩＤフィールドをパースし、各ＳＳＩＤフィールドからパースされたセグメント識別子に基づいて、少なくとも２つの第１プローブ要求フレームのＳＳＩＤフィールドで運ばれる部分認証情報を組み立てし直して、第１ワイヤレス・ローカル・エリア・ネットワークの認証情報を取得する。
【０１７６】
本願の“ホームデバイスが、少なくとも２つの第１プローブ要求フレームのＳＳＩＤフィールドをパースし、各ＳＳＩＤフィールドからパースされたセグメント識別子に基づいて、少なくとも２つの第１プローブ要求フレームのＳＳＩＤフィールドで運ばれる部分認証情報を組み立てし直して、第１ワイヤレス・ローカル・エリア・ネットワークの認証情報を取得する”ことについての詳細な説明については、本願のＳ９０６′についての詳細な説明を参照されたい。詳細は、再び本願においてここで記載されない。
【０１７７】
本願で提供されるワイヤレス・ローカル・エリア・ネットワーク構成方法によれば、Ｗｉ−Ｆｉ標準において、隠しＳＳＩＤを用いるワイヤレス・ローカル・エリア・ネットワークの場合に、プローブ要求フレームがワイヤレス・ローカル・エリア・ネットワークのＳＳＩＤを運び得る。Ｗｉ−Ｆｉ標準におけるこの規約に基づいて、端末は、第１ワイヤレス・ローカル・エリア・ネットワークの認証情報を取得した後に、第１ワイヤレス・ローカル・エリア・ネットワークのＳＳＩＤを隠しＩＤとして構成してよい。この場合に、端末は、第１ワイヤレス・ローカル・エリア・ネットワークの認証情報を運ぶプローブ要求フレーム（すなわち、probe  requestフレーム又は第１プローブ要求フレーム）を送信してよい。
【０１７８】
端末によって送信されるプローブ要求フレームは、ワイヤレス・ルータによって転送される必要がなく、それにより、ワイヤレス・ルータ上の他のデータサービスに対する影響はない。その上、プローブ要求フレームはＷｉ−Ｆｉ管理フレームであり、如何なるホームデバイスにおけるＷｉ−Ｆｉモジュールもプローブ要求フレームをリッスンし受信することができる。これは、ホームデバイスがプローブ要求フレームを受信することができ、従って、ＳＳＩＤ及びアクセスパスワードを使用することによって第１ワイヤレス・ローカル・エリア・ネットワークへ接続するために、プローブ要求フレームのＳＳＩＤフィールドで運ばれるＳＳＩＤ及びアクセスパスワードを取得することができることを確かにし得る。すなわち、本願は、ホームデバイスのためのホーム・ワイヤレス・ローカル・エリア・ネットワークの認証情報を構成することの成功率を高め、且つ、ホームデバイスをホーム・ワイヤレス・ローカル・エリア・ネットワークに接続することの効率を改善することができる。
【０１７９】
以上は、主として、端末がホームデバイスのためにワイヤレス・ローカル・エリア・ネットワークを構成するプロセスの視点から、本願の実施形態で提供される解決法について記載する。上記の機能を実装するために、端末は、機能の夫々を実行するための対応する機能モジュールを含むことが理解され得る。当業者は、本明細書中で開示される実施形態を参照して記載される例における端末及びアルゴリズムステップが、本願では、ハードウェアの形で、又はハードウェアとコンピュータソフトウェアとの組み合わせの形で実装可能であると容易に気付くはずである。機能がハードウェア又はハードウェアを駆動するコンピュータソフトウェアによって実行されるかどうかは、技術的解決法の特定の用途及び設計制約に依存する。当業者は、夫々の特定の用途に対して、記載される機能を実装するために異なる方法を使用してよいが、実施は、本願の適用範囲を越えると考えられるべきではない。
【０１８０】
本願の実施形態は、上記の方法実施形態を実装するように端末を提供する。具体的に、端末は、上記の方法の例に基づいて分割されてよい。例えば、様々な機能に対応するモジュール又はユニットは、分割を通じて取得されてよく、あるいは、２つ以上の機能は、１つの処理モジュールに一体化されてよい。一体化されたモジュールは、ハードウェアの形で実装されてよく、あるいは、ソフトウェアモジュール又はユニットの形で実装されてもよい。本願の実施形態におけるモジュール又はユニット分割は一例であり、論理的な機能分割にすぎない。実際の実施では、他の分割様態も存在し得る。
【０１８１】
図２１は、上記の実施形態における端末のとり得る略構造図である。図２１に示されるように、端末２１００は、取得モジュール２１０１、構成モジュール２１０２、及び送信モジュール２１０３を含んでよい。
【０１８２】
取得モジュール２１０１は、方法の実施形態におけるＳ９０１、Ｓ１１０２と、Ｓ１５０３の“第１入力を受け取る動作”と、Ｓ２００１とをサポートするよう構成され、及び／又は本明細書中で記載される技術の他のプロセスのために使用される。
【０１８３】
構成モジュール２１０２は、方法の実施形態におけるＳ９０２及びＳ２００２をサポートするよう構成され、及び／又は本明細書中で記載される技術の他のプロセスのために使用される。
【０１８４】
送信モジュール２１０３は、方法の実施形態におけるＳ９０３、Ｓ９０３′、及びＳ２００３をサポートするよう構成され、及び／又は本明細書中で記載される技術の他のプロセスのために使用される。
【０１８５】
更に、図２２に示されるように、端末２１００は、分割モジュール２１０４を更に含んでよい。分割モジュール２１０４は、方法の実施形態におけるＳ１００１をサポートするよう構成され、及び／又は本明細書中で記載される技術の他のプロセスのために使用される。
【０１８６】
更に、図２３に示されるように、端末２１００は、表示モジュール２１０５を更に含んでよい。表示モジュール２１０５は、方法の実施形態におけるＳ１１０１及びＳ１５０２をサポートするよう構成され、及び／又は本明細書中で記載される技術の他のプロセスのために使用される。
【０１８７】
更に、端末２１００は、追加モジュール及びインポートモジュールを更に含んでよい。追加モジュールは、方法の実施形態におけるＳ１５０１をサポートするよう構成され、及び／又は本明細書中で記載される技術の他のプロセスのために使用される。インポートモジュールは、方法の実施形態におけるＳ１５０３の“ＩＯＳ記述ファイルをＩＯＳ端末のＩＯＳシステムにインポートする”動作をサポートするよう構成され、及び／又は本明細書中で記載される技術の他のプロセスのために使用される。
【０１８８】
更に、端末２１００は、記憶モジュールを更に含んでよい。記憶モジュールは、第１ワイヤレス・ローカル・エリア・ネットワークの認証情報などを記憶するよう構成され、及び／又は本明細書中で記載される技術の他のプロセスのために使用される。
【０１８９】
確かに、端末２１００は、先に挙げられたユニットモジュールを含むが限られない。例えば、端末２１００は、他のデバイスによって送信されるデータ又は信号を受信する受信モジュール、などを更に含んでもよい。その上、上記のモジュールによって特に実装され得る機能はまた、上記の実施形態で記載された方法ステップに対応する機能を含むが限られない。端末２１００の他のユニット及び端末２１００の各ユニットについての詳細な説明については、ユニットに対応する方法ステップについての詳細な説明を参照されたい。詳細は、再び本願のこの実施形態においてここで記載されない。
【０１９０】
図２１に示されるように、端末２１００は、取得モジュール２１０１、構成モジュール２１０２、及び送信モジュール２１０３を含んでよい。
【０１９１】
取得モジュール２１０１は、方法の実施形態におけるＳ２００１の“第１入力を受け取る”動作をサポートするよう構成され、及び／又は本明細書中で記載される技術の他のプロセスのために使用される。
【０１９２】
構成モジュール２１０２は、方法の実施形態におけるＳ２００２をサポートするよう構成され、及び／又は本明細書中で記載される技術の他のプロセスのために使用される。
【０１９３】
送信モジュール２１０３は、方法の実施形態におけるＳ２００３及びＳ２００３′をサポートするよう構成され、及び／又は本明細書中で記載される技術の他のプロセスのために使用される。
【０１９４】
更に、図２２に示されるように、端末２１００は、分割モジュール２１０４を更に含んでよい。分割モジュール２１０４は、方法の実施形態におけるＳ２１０１をサポートするよう構成され、及び／又は本明細書中で記載される技術の他のプロセスのために使用される。
【０１９５】
更に、図２３に示されるように、端末２１００は、表示モジュール２１０５を更に含んでよい。表示モジュール２１０５は、第１アプリケーションの表示インターフェイスを表示し、ここで、第１アプリケーションの表示インターフェイスは認証情報入力ウィンドウを含み、且つ、ＩＯＳ端末の記述ファイルインストールインターフェイスを表示するよう構成される。
【０１９６】
更に、端末２１００は、記憶モジュールを更に含んでよい。記憶モジュールは、第１ワイヤレス・ローカル・エリア・ネットワークの認証情報などを記憶するよう構成され、及び／又は本明細書中で記載される技術の他のプロセスのために使用される。
【０１９７】
確かに、端末２１００は、先に挙げられたユニットモジュールを含むが限られない。例えば、端末２１００は、他のデバイスによって送信されるデータ又は信号を受信する受信モジュール、などを更に含んでもよい。その上、上記のモジュールによって特に実装され得る機能はまた、上記の実施形態で記載された方法ステップに対応する機能を含むが限られない。端末２１００の他のユニット及び端末２１００の各ユニットについての詳細な説明については、ユニットに対応する方法ステップについての詳細な説明を参照されたい。詳細は、再び本願のこの実施形態においてここで記載されない。
【０１９８】
一体化されたユニットが使用される場合に、取得モジュール２１０１、構成モジュール２１０２、追加モジュール、インポートモジュール、などは、実装のための１つの処理ユニットに組み込まれてよい。処理ユニットは、プロセッサ又はコントローラであってよく、例えば、ＣＰＵ，汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）若しくは他のプログラム可能な論理デバイス、トランジスタ論理デバイス、ハードウェア部品、又はそれらの任意の組み合わせであってよい。処理ユニットは、本願中で開示される内容を参照して例として記載される様々な論理ブロック、モジュール、及び回路を実装又は実行してよい。処理ユニットは、代替的に、計算機能を実装する組み合わせ、例えば、１以上のマイクロプロセッサ又はＤＳＰとマイクロプロセッサとの組み合わせを含む組み合わせであってよい。記憶モジュールはメモリであってよい。
【０１９９】
処理ユニットがプロセッサであり、記憶モジュールがメモリであり、送信モジュールが通信インターフェイスである場合に、本願のこの実施形態における端末２１００は、図２４に示される端末２４００であってよい。図２４に示されるように、端末２４００は、プロセッサ２４０１、メモリ２４０２、及び通信インターフェイス２４０３を含む。プロセッサ２４０１、メモリ２４０２、及び通信インターフェイス２４０３は、バス２４０４を使用することによって互いに接続されている。
【０２００】
メモリ２４０２は、コンピュータプログラムコードを記憶するよう構成され、コンピュータプログラムコードは命令を含む。端末２４００のプロセッサ２４０１が命令を実行するとき、端末２４００は、上記の実施形態のワイヤレス・ローカル・エリア・ネットワーク構成方法を実装するように、図９、図１０、図１１、並びに図１５Ａ及び図１５Ｂのいずれかにおける関連する方法ステップを実行する。通信インターフェイス２４０３は、プロセッサ２４０１の制御下で第１プローブ要求フレームを送信するよう構成される。
【０２０１】
バス２４０４は、ペリフェラル・コンポーネント・インターコネクト（Peripheral  Component  Interconnect，ＰＣＩ）バス、拡張産業標準アーキテクチャ（Extended  Industry  Standard  Architecture，ＥＩＳＡ）バス、などであってよい。バス２４０４は、アドレスバス、データバス、制御バス、などに分類され得る。表現の簡単のために、バスは、図２４ではただ１つの太線を使用することによって表されている。しかし、これは、ただ１つのバス又はただ１種類のバスしか存在しないことを意味するものではない。
【０２０２】
更に、図２５に示されるように、端末２４００は、タッチスクリーン２４０５を更に含んでよい。タッチスクリーン２４０５は、プロセッサ２４０１の制御下で、図３、図６、図７、図１２乃至図１４、及び図１６乃至図１９に示されるＧＵＩを表示するよう構成される。
【０２０３】
本願は、コンピュータ記憶媒体を更に提供し、コンピュータ記憶媒体は、コンピュータプログラムコードを記憶する。端末２４００のプロセッサ２４０１がコンピュータプログラムコードを実行するとき、端末２４００は、上記の実施形態のワイヤレス・ローカル・エリア・ネットワーク構成方法を実装するように、図９、図１０、図１１、図１５Ａ及び図１５Ｂ、並びに図２０のいずれかにおける関連する方法ステップを実行する。
【０２０４】
本発明の実施形態は、コンピュータプログラム製品を更に提供する。コンピュータプログラム製品がコンピュータで実行されるとき、コンピュータは、上記の実施形態のワイヤレス・ローカル・エリア・ネットワーク構成方法を実装するように、図９、図１０、図１１、図１５Ａ及び図１５Ｂ、並びに図２０のいずれかにおける関連する方法ステップを実行することを可能にされる。
【０２０５】
本発明の実施形態で提供される端末２１００、端末２４００、コンピュータ記憶媒体、及びコンピュータプログラム製品の夫々は、先に提供された対応する方法を実行するよう構成される。従って、達成可能な有利な効果については、先に提供された地合おうする方法の有利な効果が参照され得る。詳細は、再び本願においてここで記載されない。
【０２０６】
上記の実施についての説明は、当業者が、記載の容易及び簡潔さのために、単に上記の機能モジュールの分割が実例のための例として使用されることを明りょうに理解することを可能にする。実際の用途では、上記の機能は、要件に応じて、異なる機能モジュールに割り当てられ、それによって実装されてよく、すなわち、装置の内部構造は、上記の機能のうちの全部又は一部を実装するように、異なる機能モジュールに分割される。上記のシステム、装置、及びユニットの詳細な作動プロセスについては、上記の方法の実施形態における対応するプロセスを参照されたい。詳細は、再びここで記載されない。
【０２０７】
本願で提供されるいくつかの実施形態では、開示されるシステム、装置、及び方法は、他の様態で実装されてよいことが理解されるべきである。例えば、記載される装置の実施形態は、一例にすぎない。例えば、モジュール又はユニット分割は、単に論理的な機能分割であり、実際の実施では他の分割様態が存在する可能性がある。例えば、複数のユニット又はコンポーネントは組み合わされても、又は他のシステムに組み込まれてもよく、あるいは、いくつかの特徴は無視されても、又は実行されなくてもよい。その上、表示又は議論される相互結合又は直接的な結合若しくは通信接続は、いくつかのインターフェイスを使用することによって実装されてよい。装置又はユニット間の間接的な結合又は通信接続は、電気的な、機械的な、又は他の形で実装されてよい。
【０２０８】
別々の部分として記載されるユニットは、物理的に分離していてもしていなくてもよく、ユニットとして表示される部分は、物理的なユニットであってもなくてもよく、一箇所に位置しても、あるいは、複数のネットワークユニット上に分布してもよい。実施形態の解決法の目的を達成するために、ユニットの一部又は全てが、実際のニーズに応じて選択されてよい。
【０２０９】
更に、本願の実施形態における機能ユニットは、１つの処理ユニットに一体化されてよく、あるいは、ユニットの夫々は、物理的に単独で存在してよく、あるいは、２つ以上のユニットが１つのユニットに一体化されてもよい。一体化されたユニットは、ハードウェアの形で実装されても、あるいは、ソフトウェア機能ユニットの形で実装されてもよい。
【０２１０】
一体化されたユニットがソフトウェア機能ユニットの形で実装され、独立した製品として販売又は使用される場合に、一体化されたユニットは、コンピュータ可読記憶媒体に記憶されてよい。そのような理解に基づいて、本願の技術的解決法は本質的に、あるいは、先行技術に寄与する部分、又は技術的解決法の全て若しくは一部は、ソフトウェア製品の形で実装されてよい。コンピュータソフトウェア製品は、記憶媒体に記憶され、本願の実施形態で記載される方法のステップの全部又は一部を実行するようにコンピュータデバイス（パーソナル・コンピュータ、サーバ、ネットワークデバイス、などであってよい。）又はプロセッサに指示するいくつかの命令を含む。上記の記憶媒体は、フラッシュメモリ、リムーバブルハードディスク、リード・オンリー・メモリ、ランダム・アクセス・メモリ、磁気ディスク、又は光ディスクのような、プログラムコードを記憶することができる様々な媒体を含む。
【０２１１】
上記の説明は、単に、本願の具体的な実施であり、本願の保護範囲は、それに制限されない。本願中に開示される技術的範囲内にある如何なる変形又は置換も、本願の保護範囲内にあるべきである。従って、本願の保護範囲は、特許請求の範囲の保護範囲に従うべきである。
【図１】
0006929390.tif 000002
【図２】
0006929390.tif 000003
【図３】
0006929390.tif 000004
【図４】
0006929390.tif 000005
【図５】
0006929390.tif 000006
【図６】
0006929390.tif 000007
【図７】
0006929390.tif 000008
【図８】
0006929390.tif 000009
【図９】
0006929390.tif 000010
【図１０】
0006929390.tif 000011
【図１１】
0006929390.tif 000012
【図１２】
0006929390.tif 000013
【図１３】
0006929390.tif 000014
【図１４】
0006929390.tif 000015
【図１５Ａ】
0006929390.tif 000016
【図１５Ｂ】
0006929390.tif 000017
【図１６】
0006929390.tif 000018
【図１７】
0006929390.tif 000019
【図１８】
0006929390.tif 000020
【図１９】
0006929390.tif 000021
【図２０】
0006929390.tif 000022
【図２１】
0006929390.tif 000023
【図２２】
0006929390.tif 000024
【図２３】
0006929390.tif 000025
【図２４】
0006929390.tif 000026
【図２５】
0006929390.tif 000027